(57)【要約】【課題】バッテリの熱を車室内の暖房に有効利用しながら、適切にバッテリを冷却することができる車両用空気調和装置を提供する。【解決手段】バッテリ５５の温度を調整するバッテリ温度調整装置６１は、冷媒と熱媒体とを熱交換させる冷媒−熱媒体熱交換器６４を有する。コントローラは、圧縮機２から吐出された冷媒を放熱器４にて放熱させ、減圧した後、室外熱交換器７と冷媒−熱媒体熱交換器にて吸熱させる第１の暖房／バッテリ冷却モードと、圧縮機から吐出された冷媒を放熱器と室外熱交換器にて放熱させ、減圧した後、冷媒−熱媒体熱交換器にて吸熱させる第２の暖房／バッテリ冷却モードを実行する。【選択図】図１
2018184108.tif 000002
【特許請求の範囲】
【請求項１】
冷媒を圧縮する圧縮機と、
車室内に供給する空気が流通する空気流通路と、
前記冷媒を放熱させて前記空気流通路から前記車室内に供給する空気を加熱するための放熱器と、
車室外に設けられて前記冷媒を吸熱又は放熱させるための室外熱交換器と、
車両に搭載されたバッテリに熱媒体を循環させて当該バッテリの温度を調整するためのバッテリ温度調整装置と、
制御装置を備え、前記車室内を空調する車両用空気調和装置において、
前記バッテリ温度調整装置は、前記冷媒と前記熱媒体とを熱交換させるための冷媒−熱媒体熱交換器を有すると共に、
前記制御装置は、
前記圧縮機から吐出された前記冷媒を前記放熱器にて放熱させ、放熱した当該冷媒を減圧した後、前記室外熱交換器と前記冷媒−熱媒体熱交換器にて吸熱させる第１の暖房／バッテリ冷却モードと、
前記圧縮機から吐出された前記冷媒を前記放熱器と前記室外熱交換器にて放熱させ、放熱した当該冷媒を減圧した後、前記冷媒−熱媒体熱交換器にて吸熱させる第２の暖房／バッテリ冷却モードを実行することを特徴とする車両用空気調和装置。
【請求項２】
前記制御装置は、前記室外熱交換器への冷媒の流入を阻止し、前記圧縮機から吐出された前記冷媒を前記放熱器にて放熱させ、放熱した当該冷媒を減圧した後、前記冷媒−熱媒体熱交換器のみで吸熱させる第３の暖房／バッテリ冷却モードを実行することを特徴とする請求項１に記載の車両用空気調和装置。
【請求項３】
前記制御装置は、前記放熱器に要求される要求暖房能力と、前記バッテリ温度調整装置に要求される要求バッテリ冷却能力に基づき、前記各暖房／バッテリ冷却モードを切り換えて実行することを特徴とする請求項２に記載の車両用空気調和装置。
【請求項４】
前記制御装置は、前記要求暖房能力が前記要求バッテリ冷却能力よりも大きい場合、前記第１の暖房／バッテリ冷却モードを実行し、前記要求暖房能力と前記要求バッテリ冷却能力が等しいか近似する値である場合、前記第３の暖房／バッテリ冷却モードを実行し、前記要求バッテリ冷却能力が前記要求暖房能力よりも大きい場合、前記第２の暖房／バッテリ冷却モードを実行することを特徴とする請求項３の記載の車両用空気調和装置。
【請求項５】
前記バッテリ温度調整装置は、前記熱媒体を加熱するための加熱装置を備え、
前記制御装置は、前記第１の暖房／バッテリ冷却モードにおいて、前記放熱器が発生可能な暖房能力により前記要求暖房能力を達成できない場合、前記加熱装置により前記熱媒体を加熱することを特徴とする請求項４に記載の車両用空気調和装置。
【請求項６】
前記制御装置は、前記第２の暖房／バッテリ冷却モードにおいて、前記圧縮機の運転を制御することで前記バッテリ温度調整装置による前記バッテリの冷却能力を調整すると共に、
前記放熱器及び／又は前記室外熱交換器の前記冷媒の流通、又は、前記放熱器及び／又は前記室外熱交換器への通風を制御することで前記放熱器による前記車室内の暖房能力を調整することを特徴とする請求項４又は請求項５に記載の車両用空気調和装置。
【請求項７】
前記制御装置が前記放熱器の前記冷媒の流通を制御する手段は、前記室外熱交換器に流入する前記冷媒を減圧するための室外膨張弁であり、
前記制御装置が前記室外熱交換器の前記冷媒の流通を制御する手段は、前記冷媒−熱媒体熱交換器に流入する前記冷媒を減圧するための補助膨張弁であり、
前記制御装置が前記放熱器への通風を制御する手段は、前記空気流通路内の空気を前記放熱器に通風する割合を調整するためのエアミックスダンパであり、
前記制御装置が前記室外熱交換器への通風を制御する手段は、前記室外熱交換器に外気を通風するための室外送風機及び／又は前記室外熱交換器への走行風の流入を阻止するためのシャッタであることを特徴とする請求項６に記載の車両用空気調和装置。
【請求項８】
前記放熱器から出て前記室外熱交換器に流入する前記冷媒を減圧するための室外膨張弁と、
前記室外熱交換器から出た前記冷媒を吸熱させて前記空気流通路から前記車室内に供給する空気を冷却するための吸熱器と、
該吸熱器への冷媒の流入を制御するための弁装置と、
前記室外熱交換器から出た前記冷媒を前記弁装置に流すこと無く、前記圧縮機に吸い込ませるための第１のバイパス回路と、
該第１のバイパス回路に設けられた第１の開閉弁と、
前記放熱器から出た前記冷媒を前記室外膨張弁の冷媒上流側から分流して前記弁装置の冷媒上流側に流すための第２のバイパス回路と、
該第２のバイパス回路に設けられた第２の開閉弁と、
前記第２のバイパス回路から出た前記冷媒を前記冷媒−熱媒体熱交換器に流すための分岐回路と、
該分岐回路に設けられて前記冷媒−熱媒体熱交換器に流入する前記冷媒を減圧するための補助膨張弁と、
前記第２のバイパス回路から出た前記冷媒が前記室外熱交換器に流入することを阻止するための逆止弁を備え、
前記制御装置は、前記室外膨張弁、前記弁装置、前記第１の開閉弁、前記第２の開閉弁、前記補助膨張弁及び前記バッテリ温度調整装置を制御することにより、前記第１の暖房／バッテリ冷却モード、前記第２の暖房／バッテリ冷却モード及び前記第３の暖房／バッテリ冷却モードを切り換えて実行することを特徴とする請求項２乃至請求項７のうちの何れかに記載の車両用空気調和装置。
【請求項９】
前記制御装置は、前記室外熱交換器に外気を通風しない状態、若しくは、走行風の流入を阻止した状態で、前記圧縮機から吐出された前記冷媒を前記放熱器と前記室外熱交換器にて放熱させ、放熱した当該冷媒を減圧した後、前記冷媒−熱媒体熱交換器にて吸熱させる除霜／暖房／バッテリ冷却モードを実行することを特徴とする請求項１乃至請求項８のうちの何れかに記載の車両用空気調和装置。
【発明の詳細な説明】
【技術分野】
【０００１】
本発明は、車両の車室内を空調するヒートポンプ方式の空気調和装置、特にバッテリを備えたハイブリッド自動車や電気自動車に好適な車両用空気調和装置に関するものである。
【背景技術】
【０００２】
近年の環境問題の顕在化から、バッテリから供給される電力で走行用モータを駆動するハイブリッド自動車や電気自動車が普及するに至っている。そして、このような車両に適用することができる空気調和装置として、冷媒を圧縮して吐出する圧縮機と、車室内側に設けられて冷媒を放熱させる放熱器と、車室内側に設けられて冷媒を吸熱させる吸熱器と、車室外側に設けられて外気が通風されると共に、冷媒を吸熱又は放熱させる室外熱交換器が接続された冷媒回路を備え、圧縮機から吐出された冷媒を放熱器において放熱させ、この放熱器において放熱した冷媒を室外熱交換器において吸熱させる暖房モード（暖房運転）と、圧縮機から吐出された冷媒を室外熱交換器において放熱させ、吸熱器において吸熱させる冷房モード（冷房運転）を切り換えて実行するものが開発されている（例えば、特許文献１参照）。
【０００３】
一方、車両に搭載されたバッテリは充電中、或いは、放電中の自己発熱で高温となる。このような状態で充放電を行うと、劣化が進行し、やがては作動不良を起こして破損する危険性がある。そこで、冷媒回路を循環する冷媒により冷却された空気（熱媒体）をバッテリに循環させることで二次電池（バッテリ）の温度を調整することができるようにしたものも開発されている（例えば、特許文献２参照）。
【先行技術文献】
【特許文献】
【０００４】
【特許文献１】特開２０１４−２１３７６５号公報
【特許文献２】特開２０１６−９０２０１号公報
【発明の概要】
【発明が解決しようとする課題】
【０００５】
しかしながら、前記特許文献２に示された従来の構成には車室内を暖房しながらバッテリ（二次電池）を加熱するモードは示されているものの、車室内を暖房しながらバッテリを冷却するモードが存在しない。一方で、車室内を暖房したい環境（例えば低外気温環境）下でもバッテリは充放電により発熱するため、このバッテリの熱を車室内の暖房に利用できれば、室外熱交換器の着霜を抑制して暖房運転時間を延長することが可能となる。また、バッテリの急速充電時等にはバッテリの発熱量が大きくなるため、その熱を室外熱交換器で外気中に放出してでも、バッテリを冷却する必要が生じる。
【０００６】
本発明は、係る従来の技術的課題を解決するために成されたものであり、バッテリの熱を車室内の暖房に有効利用しながら、適切にバッテリを冷却することができる車両用空気調和装置を提供することを目的とする。
【課題を解決するための手段】
【０００７】
本発明の車両用空気調和装置は、冷媒を圧縮する圧縮機と、車室内に供給する空気が流通する空気流通路と、冷媒を放熱させて空気流通路から車室内に供給する空気を加熱するための放熱器と、車室外に設けられて冷媒を吸熱又は放熱させるための室外熱交換器と、車両に搭載されたバッテリに熱媒体を循環させて当該バッテリの温度を調整するためのバッテリ温度調整装置と、制御装置を備え、車室内を空調するものであって、バッテリ温度調整装置は、冷媒と熱媒体とを熱交換させるための冷媒−熱媒体熱交換器を有すると共に、制御装置は、圧縮機から吐出された冷媒を放熱器にて放熱させ、放熱した当該冷媒を減圧した後、室外熱交換器と冷媒−熱媒体熱交換器にて吸熱させる第１の暖房／バッテリ冷却モードと、圧縮機から吐出された冷媒を放熱器と室外熱交換器にて放熱させ、放熱した当該冷媒を減圧した後、冷媒−熱媒体熱交換器にて吸熱させる第２の暖房／バッテリ冷却モードを実行することを特徴とする。
【０００８】
請求項２の発明の車両用空気調和装置は、上記発明において制御装置は、室外熱交換器への冷媒の流入を阻止し、圧縮機から吐出された冷媒を放熱器にて放熱させ、放熱した当該冷媒を減圧した後、冷媒−熱媒体熱交換器のみで吸熱させる第３の暖房／バッテリ冷却モードを実行することを特徴とする。
【０００９】
請求項３の発明の車両用空気調和装置は、上記発明において制御装置は、放熱器に要求される要求暖房能力と、バッテリ温度調整装置に要求される要求バッテリ冷却能力に基づき、各暖房／バッテリ冷却モードを切り換えて実行することを特徴とする。
【００１０】
請求項４の発明の車両用空気調和装置は、上記発明において制御装置は、要求暖房能力が要求バッテリ冷却能力よりも大きい場合、第１の暖房／バッテリ冷却モードを実行し、要求暖房能力と要求バッテリ冷却能力が等しいか近似する値である場合、第３の暖房／バッテリ冷却モードを実行し、要求バッテリ冷却能力が要求暖房能力よりも大きい場合、第２の暖房／バッテリ冷却モードを実行することを特徴とする。
【００１１】
請求項５の発明の車両用空気調和装置は、上記発明においてバッテリ温度調整装置は、熱媒体を加熱するための加熱装置を備え、制御装置は、第１の暖房／バッテリ冷却モードにおいて、放熱器が発生可能な暖房能力により要求暖房能力を達成できない場合、加熱装置により熱媒体を加熱することを特徴とする。
【００１２】
請求項６の発明の車両用空気調和装置は、請求項４又は請求項５の発明において制御装置は、第２の暖房／バッテリ冷却モードにおいて、圧縮機の運転を制御することでバッテリ温度調整装置によるバッテリの冷却能力を調整すると共に、放熱器及び／又は室外熱交換器の冷媒の流通、又は、放熱器及び／又は室外熱交換器への通風を制御することで放熱器による車室内の暖房能力を調整することを特徴とする。
【００１３】
請求項７の発明の車両用空気調和装置は、上記発明において制御装置が放熱器の冷媒の流通を制御する手段は、室外熱交換器に流入する冷媒を減圧するための室外膨張弁であり、制御装置が室外熱交換器の冷媒の流通を制御する手段は、冷媒−熱媒体熱交換器に流入する冷媒を減圧するための補助膨張弁であり、制御装置が放熱器への通風を制御する手段は、空気流通路内の空気を放熱器に通風する割合を調整するためのエアミックスダンパであり、制御装置が室外熱交換器への通風を制御する手段は、室外熱交換器に外気を通風するための室外送風機及び／又は室外熱交換器への走行風の流入を阻止するためのシャッタであることを特徴とする。
【００１４】
請求項８の発明の車両用空気調和装置は、請求項２乃至請求項７の発明において放熱器から出て室外熱交換器に流入する冷媒を減圧するための室外膨張弁と、室外熱交換器から出た冷媒を吸熱させて空気流通路から車室内に供給する空気を冷却するための吸熱器と、この吸熱器への冷媒の流入を制御するための弁装置と、室外熱交換器から出た冷媒を弁装置に流すこと無く、圧縮機に吸い込ませるための第１のバイパス回路と、この第１のバイパス回路に設けられた第１の開閉弁と、放熱器から出た冷媒を室外膨張弁の冷媒上流側から分流して弁装置の冷媒上流側に流すための第２のバイパス回路と、この第２のバイパス回路に設けられた第２の開閉弁と、第２のバイパス回路から出た冷媒を冷媒−熱媒体熱交換器に流すための分岐回路と、この分岐回路に設けられて冷媒−熱媒体熱交換器に流入する冷媒を減圧するための補助膨張弁と、第２のバイパス回路から出た冷媒が室外熱交換器に流入することを阻止するための逆止弁を備え、制御装置は、室外膨張弁、弁装置、第１の開閉弁、第２の開閉弁、補助膨張弁及びバッテリ温度調整装置を制御することにより、第１の暖房／バッテリ冷却モード、第２の暖房／バッテリ冷却モード及び第３の暖房／バッテリ冷却モードを切り換えて実行することを特徴とする。
【００１５】
請求項９の発明の車両用空気調和装置は、上記各発明において制御装置は、室外熱交換器に外気を通風しない状態、若しくは、走行風の流入を阻止した状態で、圧縮機から吐出された冷媒を放熱器と室外熱交換器にて放熱させ、放熱した当該冷媒を減圧した後、冷媒−熱媒体熱交換器にて吸熱させる除霜／暖房／バッテリ冷却モードを実行することを特徴とする。
【発明の効果】
【００１６】
本発明によれば、冷媒を圧縮する圧縮機と、車室内に供給する空気が流通する空気流通路と、冷媒を放熱させて空気流通路から車室内に供給する空気を加熱するための放熱器と、車室外に設けられて冷媒を吸熱又は放熱させるための室外熱交換器と、車両に搭載されたバッテリに熱媒体を循環させて当該バッテリの温度を調整するためのバッテリ温度調整装置と、制御装置を備え、車室内を空調する車両用空気調和装置において、バッテリ温度調整装置は、冷媒と熱媒体とを熱交換させるための冷媒−熱媒体熱交換器を有すると共に、制御装置は、圧縮機から吐出された冷媒を放熱器にて放熱させ、放熱した当該冷媒を減圧した後、室外熱交換器と冷媒−熱媒体熱交換器にて吸熱させる第１の暖房／バッテリ冷却モードと、圧縮機から吐出された冷媒を放熱器と室外熱交換器にて放熱させ、放熱した当該冷媒を減圧した後、冷媒−熱媒体熱交換器にて吸熱させる第２の暖房／バッテリ冷却モードを実行するようにしたので、バッテリの発熱量が小さいときは、第１の暖房／バッテリ冷却モードを実行し、室外熱交換器で外気から吸熱し、更に、バッテリの熱を汲み上げて当該バッテリを冷却しながら、車室内を暖房することができると共に、急速充電時等にバッテリの発熱量が大きいときには、第２の暖房／バッテリ冷却モードを実行し、室外熱交換器でバッテリの熱を外気中に放出し、バッテリを冷却しながら、車室内を暖房することができるようになる。
【００１７】
このように本発明では、車室内の暖房を行うときに室外熱交換器での冷媒の吸熱と放熱を切り換えることができるので、バッテリの熱を有効に利用して効率良く車室内の暖房を行って室外熱交換器への着霜を抑制しながら、適切にバッテリの冷却を行うことができるようになる。
【００１８】
更に、請求項２の発明の如く制御装置が、室外熱交換器への冷媒の流入を阻止し、圧縮機から吐出された冷媒を放熱器にて放熱させ、放熱した当該冷媒を減圧した後、冷媒−熱媒体熱交換器のみで吸熱させる第３の暖房／バッテリ冷却モードを実行するようにすれば、車室内の暖房に必要な熱量とバッテリの発熱量が略等しくなるときには、第３の暖房／バッテリ冷却モードを実行し、バッテリから汲み上げた熱だけで車室内を暖房することができるようになる。これにより、室外熱交換器への着霜の問題を解消しながら、効率的に車室内を暖房し、適切にバッテリを冷却することができるようになる。
【００１９】
この場合、請求項３の発明の如く制御装置が、放熱器に要求される要求暖房能力と、バッテリ温度調整装置に要求される要求バッテリ冷却能力に基づき、前述した各暖房／バッテリ冷却モードを切り換えて実行することで、車室内の暖房とバッテリの冷却を適切に両立させることが可能となる。
【００２０】
例えば、請求項４の発明の如く制御装置が、要求暖房能力が要求バッテリ冷却能力よりも大きい場合、第１の暖房／バッテリ冷却モードを実行し、要求暖房能力と要求バッテリ冷却能力が等しいか近似する値である場合、第３の暖房／バッテリ冷却モードを実行し、要求バッテリ冷却能力が要求暖房能力よりも大きい場合、第２の暖房／バッテリ冷却モードを実行することで、各暖房／バッテリ冷却モードを適切に切り換えて効率的な車室内の暖房と、効果的なバッテリの冷却を円滑に行うことができるようになる。
【００２１】
また、請求項５の発明の如くバッテリ温度調整装置に熱媒体を加熱するための加熱装置を設け、制御装置が、第１の暖房／バッテリ冷却モードにおいて、放熱器が発生可能な暖房能力により要求暖房能力を達成できない場合、加熱装置により熱媒体を加熱するようにすれば、バッテリの発熱量が小さく、第１の暖房／バッテリ冷却モードで放熱器による車室内の暖房能力が不足するときには、バッテリ温度調整装置の加熱装置により熱媒体を加熱して、この熱を冷媒により汲み上げ、不足分を補完することが可能となる。
【００２２】
また、請求項６の発明の如く制御装置が、第２の暖房／バッテリ冷却モードにおいて、圧縮機の運転を制御することでバッテリ温度調整装置によるバッテリの冷却能力を調整すると共に、放熱器及び／又は室外熱交換器の冷媒の流通、又は、放熱器及び／又は室外熱交換器への通風を制御することで放熱器による車室内の暖房能力を調整するようにすれば、バッテリの発熱量が大きいときに、第２の暖房／バッテリ冷却モードで圧縮機の制御によりバッテリの冷却能力を調整することで効果的にバッテリを冷却し、放熱器による暖房は当該放熱器及び／又は室外熱交換器の冷媒の流通や通風を制御することで適切に調整することができるようになる。
【００２３】
この場合、請求項７の発明の如く制御装置が放熱器の冷媒の流通を制御する手段は、室外熱交換器に流入する冷媒を減圧するための室外膨張弁を採用でき、制御装置が室外熱交換器の冷媒の流通を制御する手段は、冷媒−熱媒体熱交換器に流入する冷媒を減圧するための補助膨張弁を採用でき、制御装置が放熱器への通風を制御する手段は、空気流通路内の空気を放熱器に通風する割合を調整するためのエアミックスダンパを採用でき、制御装置が室外熱交換器への通風を制御する手段は、室外熱交換器に外気を通風するための室外送風機及び／又は室外熱交換器への走行風の流入を阻止するためのシャッタを採用することができる。
【００２４】
そして、請求項８の発明の如く放熱器から出て室外熱交換器に流入する冷媒を減圧するための室外膨張弁と、室外熱交換器から出た冷媒を吸熱させて空気流通路から車室内に供給する空気を冷却するための吸熱器と、この吸熱器への冷媒の流入を制御するための弁装置と、室外熱交換器から出た冷媒を弁装置に流すこと無く、圧縮機に吸い込ませるための第１のバイパス回路と、この第１のバイパス回路に設けられた第１の開閉弁と、放熱器から出た冷媒を室外膨張弁の冷媒上流側から分流して弁装置の冷媒上流側に流すための第２のバイパス回路と、この第２のバイパス回路に設けられた第２の開閉弁と、第２のバイパス回路から出た冷媒を冷媒−熱媒体熱交換器に流すための分岐回路と、この分岐回路に設けられて冷媒−熱媒体熱交換器に流入する冷媒を減圧するための補助膨張弁と、第２のバイパス回路から出た冷媒が室外熱交換器に流入することを阻止するための逆止弁を設け、制御装置により室外膨張弁、弁装置、第１の開閉弁、第２の開閉弁、補助膨張弁及びバッテリ温度調整装置を制御し、第１の暖房／バッテリ冷却モード、第２の暖房／バッテリ冷却モード及び第３の暖房／バッテリ冷却モードを切り換えて実行するようにすれば、第１の開閉弁及び第２の開閉弁を開き、弁装置を閉じて室外膨張弁及び補助膨張弁により室外熱交換器及び冷媒−熱媒体熱交換器に流入する冷媒を減圧することで第１の暖房／バッテリ冷却モードを実行し、第２の開閉弁を開き、室外膨張弁を全閉とし、第１の開閉弁及び弁装置を閉じて補助膨張弁により冷媒−熱媒体熱交換器に流入する冷媒を減圧することで第３の暖房／バッテリ冷却モードを実行し、室外膨張弁を開き、第１の開閉弁、第２の開閉弁及び弁装置を閉じて補助膨張弁により冷媒−熱媒体熱交換器に流入する冷媒を減圧することで第２の暖房／バッテリ冷却モードを実行することができるようになる。
【００２５】
更に、請求項９の発明の如く制御装置が、室外熱交換器に外気を通風しない状態、若しくは、走行風の流入を阻止した状態で、圧縮機から吐出された冷媒を放熱器と室外熱交換器にて放熱させ、放熱した当該冷媒を減圧した後、冷媒−熱媒体熱交換器にて吸熱させる除霜／暖房／バッテリ冷却モードを実行するようにすれば、圧縮機から吐出された高温の冷媒によって室外熱交換器の除霜を行いながら、バッテリの熱を汲み上げて車室内の暖房を行うことができるようになる。
【図面の簡単な説明】
【００２６】
【図１】本発明を適用した一実施形態の車両用空気調和装置の構成図である。
【図２】図１の車両用空気調和装置のコントローラの電気回路のブロック図である。
【図３】図２のコントローラによる暖房運転を説明する図である。
【図４】図３の暖房運転のｐ−ｈ線図である。
【図５】図２のコントローラによる除湿暖房運転を説明する図である。
【図６】図５の除湿暖房運転のｐ−ｈ線図である。
【図７】図２のコントローラによる内部サイクル運転を説明する図である。
【図８】図７の内部サイクル運転のｐ−ｈ線図である。
【図９】図２のコントローラによる除湿冷房運転を説明する図である。
【図１０】図９の除湿冷房運転のｐ−ｈ線図である。
【図１１】図２のコントローラによる冷房運転を説明する図である。
【図１２】図１１の冷房運転のｐ−ｈ線図である。
【図１３】図２のコントローラによる除湿冷房運転（シャッタ閉）を説明する図である。
【図１４】図１３の除湿冷房運転のｐ−ｈ線図である。
【図１５】図２のコントローラによる第１の暖房／バッテリ冷却モードを説明する図である。
【図１６】図１５の第１の暖房／バッテリ冷却モードのｐ−ｈ線図である。
【図１７】図２のコントローラによる第３の暖房／バッテリ冷却モードを説明する図である。
【図１８】図１７の第３の暖房／バッテリ冷却モードのｐ−ｈ線図である。
【図１９】図２のコントローラによる第２の暖房／バッテリ冷却モードを説明する図である。
【図２０】図１９の第２の暖房／バッテリ冷却モードのｐ−ｈ線図である。
【図２１】図２のコントローラによる第２の暖房／バッテリ冷却モードを説明するもう一つの図である。
【図２２】図２１の第２の暖房／バッテリ冷却モードのｐ−ｈ線図である。
【図２３】図２のコントローラによる除霜／暖房／バッテリ冷却モードを説明するもう一つの図である。
【図２４】図２３の除霜／暖房／バッテリ冷却モードのｐ−ｈ線図である。
【図２５】図２のコントローラによる冷房／バッテリ冷却モードを説明する図である。
【図２６】図２５の冷房／バッテリ冷却モードのｐ−ｈ線図である。
【図２７】図２のコントローラによる除湿冷房／バッテリ冷却モードを説明する図である。
【図２８】図２７の除湿冷房／バッテリ冷却モードのｐ−ｈ線図である。
【図２９】図２のコントローラによる除湿冷房／バッテリ冷却モード（シャッタ閉）を説明する図である。
【図３０】図２９の除湿冷房／バッテリ冷却モードのｐ−ｈ線図である。
【図３１】図２のコントローラによる内部サイクル／バッテリ冷却モードを説明する図である。
【図３２】図３１の内部サイクル／バッテリ冷却モードのｐ−ｈ線図である。
【図３３】図２のコントローラによる除湿暖房／バッテリ冷却モードを説明する図である。
【図３４】図３３の除湿暖房／バッテリ冷却モードのｐ−ｈ線図である。
【図３５】図２のコントローラによるバッテリ冷却単独モードを説明する図である。
【図３６】図３５のバッテリ冷却単独モードのｐ−ｈ線図である。
【発明を実施するための形態】
【００２７】
以下、本発明の実施の形態について、図面に基づき詳細に説明する。
【００２８】
図１は本発明の一実施例の車両用空気調和装置１の構成図を示している。本発明を適用する実施例の車両は、エンジン（内燃機関）が搭載されていない電気自動車（ＥＶ）であって、車両にバッテリ５５が搭載され、このバッテリ５５に充電された電力を走行用の電動モータ（図示せず）に供給することで駆動し、走行するものであり、本発明の車両用空気調和装置１も、バッテリ５５の電力で駆動されるものとする。
【００２９】
即ち、実施例の車両用空気調和装置１は、エンジン廃熱による暖房ができない電気自動車において、冷媒回路Ｒを用いたヒートポンプ運転により暖房運転を行い、更に、除湿暖房運転や内部サイクル運転、除湿冷房運転、冷房運転の各空調運転を選択的に実行することで車室内の空調を行うものである。
【００３０】
尚、車両として電気自動車に限らず、エンジンと走行用の電動モータを供用する所謂ハイブリッド自動車にも本発明が有効であり、更には、エンジンで走行する通常の自動車にも適用可能であることは云うまでもない。
【００３１】
実施例の車両用空気調和装置１は、電気自動車の車室内の空調（暖房、冷房、除湿、及び、換気）を行うものであり、冷媒を圧縮する電動式の圧縮機２と、車室内空気が通気循環されるＨＶＡＣユニット１０の空気流通路３内に設けられ、圧縮機２から吐出された高温高圧の冷媒が冷媒配管１３Ｇを介して流入し、この冷媒を車室内に放熱させる放熱器４と、暖房時に冷媒を減圧膨張させる電動弁から成る室外膨張弁６と、冷房時には冷媒を放熱させる放熱器として機能し、暖房時には冷媒を吸熱させる蒸発器として機能すべく冷媒と外気との間で熱交換を行わせる室外熱交換器７と、冷媒を減圧膨張させる電動弁（機械式膨張弁でも良い）から成る室内膨張弁８と、空気流通路３内に設けられて冷房時及び除湿時に車室内外から冷媒に吸熱させる吸熱器９と、アキュムレータ１２等が冷媒配管１３により順次接続され、冷媒回路Ｒが構成されている。室外膨張弁６は放熱器４から出て室外熱交換器７に流入する冷媒を減圧膨張させると共に全閉も可能とされている。
【００３２】
尚、室外熱交換器７には、室外送風機１５が設けられている。この室外送風機１５は、室外熱交換器７に外気を強制的に通風することにより、外気と冷媒とを熱交換させるものであり、これにより停車中（即ち、車速が０ｋｍ／ｈ）にも室外熱交換器７に外気が通風されるよう構成されている。また、図中２３はグリルシャッタと称されるシャッタである。このシャッタ２３が閉じられると、走行風が室外熱交換器７に流入することが阻止される構成とされている。
【００３３】
また、室外熱交換器７の冷媒出口側に接続された冷媒配管１３Ａは、逆止弁１８を介して冷媒配管１３Ｂに接続されている。尚、逆止弁１８は冷媒配管１３Ｂ側が順方向とされている。この冷媒配管１３Ｂは冷房時に開放される開閉弁としての電磁弁１７を介して室内膨張弁８に接続されている。実施例では、これら電磁弁１７及び室内膨張弁８が、吸熱器９への冷媒の流入を制御するための弁装置を構成する。
【００３４】
また、室外熱交換器７から出た冷媒配管１３Ａは分岐しており、この分岐した第１のパイパス回路としての冷媒配管１３Ｄは、暖房時に開放される第１の開閉弁としての電磁弁２１を介して吸熱器９の出口側に位置する冷媒配管１３Ｃに連通接続されている。そして、この冷媒配管１３Ｃがアキュムレータ１２に接続され、アキュムレータ１２は圧縮機２の冷媒吸込側に接続されている。
【００３５】
更に、放熱器４の出口側の冷媒配管１３Ｅは室外膨張弁６の手前（冷媒上流側）で冷媒配管１３Ｊと冷媒配管１３Ｆに分岐しており、分岐した一方の冷媒配管１３Ｊが室外膨張弁６を介して室外熱交換器７の冷媒入口側に接続されている。また、分岐した他方の冷媒配管１３Ｆは除湿時に開放される第２の開閉弁としての電磁弁２２を介して逆止弁１８の冷媒下流側であって、電磁弁１７の冷媒上流側に位置する冷媒配管１３Ａと冷媒配管１３Ｂとの接続部に連通接続されている。
【００３６】
これにより、冷媒配管１３Ｆは室外膨張弁６、室外熱交換器７及び逆止弁１８の直列回路に対して並列に接続されたかたちとなり、室外膨張弁６、室外熱交換器７及び逆止弁１８をバイパスする第２のバイパス回路となる。また、室外膨張弁６にはバイパス用の開閉弁としての電磁弁２０が並列に接続されている。
【００３７】
また、吸熱器９の空気上流側における空気流通路３には、外気吸込口と内気吸込口の各吸込口が形成されており（図１では吸込口２５で代表して示す）、この吸込口２５には空気流通路３内に導入する空気を車室内の空気である内気（内気循環）と、車室外の空気である外気（外気導入）とに切り換える吸込切換ダンパ２６が設けられている。更に、この吸込切換ダンパ２６の空気下流側には、導入した内気や外気を空気流通路３に送給するための室内送風機（ブロワファン）２７が設けられている。
【００３８】
また、放熱器４の空気上流側における空気流通路３内には、当該空気流通路３内に流入し、吸熱器９を通過した後の空気流通路３内の空気（内気や外気）を放熱器４に通風する割合を調整するエアミックスダンパ２８が設けられている。更に、放熱器４の空気下流側における空気流通路３には、ＦＯＯＴ（フット）、ＶＥＮＴ（ベント）、ＤＥＦ（デフ）の各吹出口（図１では代表して吹出口２９で示す）が形成されており、この吹出口２９には上記各吹出口から空気の吹き出しを切換制御する吹出口切換ダンパ３１が設けられている。
【００３９】
更に、本発明の車両用空気調和装置１は、バッテリ５５に熱媒体を循環させて当該バッテリ５５の温度を調整するためのバッテリ温度調整装置６１を備えている。実施例のバッテリ温度調整装置６１は、バッテリ５５に熱媒体を循環させるための循環装置としての循環ポンプ６２と、加熱装置としての熱媒体加熱ヒータ６６と、冷媒−熱媒体熱交換器６４を備え、それらとバッテリ５５が熱媒体配管６８にて環状に接続されている。
【００４０】
この実施例の場合、循環ポンプ６２の吐出側に熱媒体加熱ヒータ６６が接続され、熱媒体加熱ヒータ６６の出口に冷媒−熱媒体熱交換器６４の熱媒体流路６４Ａの入口が接続され、この熱媒体流路６４Ａの出口にバッテリ５５の入口が接続され、バッテリ５５の出口が循環ポンプ６２の吸込側に接続されている。
【００４１】
このバッテリ温度調整装置６１で使用される熱媒体としては、例えば水、ＨＦＯ−１２３４ｆのような冷媒、クーラント等の液体、空気等の気体が採用可能である。尚、実施例では水を熱媒体として採用している。また、熱媒体加熱ヒータ６６はＰＴＣヒータ等の電気ヒータから構成されている。更に、バッテリ５５の周囲には例えば熱媒体が当該バッテリ５５と熱交換関係で流通可能なジャケット構造が施されているものとする。
【００４２】
そして、循環ポンプ６２が運転されると、循環ポンプ６２から吐出された熱媒体は熱媒体加熱ヒータ６６に至り、熱媒体加熱ヒータ６６が発熱されている場合にはそこで加熱された後、次に冷媒−熱媒体熱交換器６４の熱媒体流路６４Ａに流入する。この冷媒−熱媒体熱交換器６４の熱媒体流路６４Ａを出た熱媒体はバッテリ５５に至る。熱媒体はそこでバッテリ５５と熱交換した後、循環ポンプ６２に吸い込まれることで熱媒体配管６８内を循環される。
【００４３】
一方、冷媒回路Ｒの冷媒配管１３Ｆの出口、即ち、冷媒配管１３Ｆと冷媒配管１３Ａ及び冷媒配管１３Ｂとの接続部には、逆止弁１８の冷媒下流側（順方向側）であって、電磁弁１７の冷媒上流側に位置して分岐回路としての分岐配管７２の一端が接続されている。この分岐配管７２には電動弁から構成された補助膨張弁７３が設けられている。この補助膨張弁７３は冷媒−熱媒体熱交換器６４の後述する冷媒流路６４Ｂに流入する冷媒を減圧膨張させると共に全閉も可能とされている。そして、分岐配管７２の他端は冷媒−熱媒体熱交換器６４の冷媒流路６４Ｂに接続されており、この冷媒流路６４Ｂの出口には冷媒配管７４の一端が接続され、冷媒配管７４の他端はアキュムレータ１２の手前（冷媒上流側）の冷媒配管１３Ｃに接続されている。そして、これら補助膨張弁７３等も冷媒回路Ｒの一部を構成すると同時に、バッテリ温度調整装置６１の一部をも構成することになる。
【００４４】
補助膨張弁７３が開いている場合、冷媒配管１３Ｆや室外熱交換器７から出た冷媒（一部又は全ての冷媒）はこの補助膨張弁７３で減圧された後、冷媒−熱媒体熱交換器６４の冷媒流路６４Ｂに流入し、そこで蒸発する。冷媒は冷媒流路６４Ｂを流れる過程で熱媒体流路６４Ａを流れる熱媒体から吸熱した後、アキュムレータ１２を経て圧縮機２に吸い込まれることになる。
【００４５】
次に、図２において３２は制御装置としてのコントローラ（ＥＣＵ）である。このコントローラ３２は、プロセッサを備えたコンピュータの一例としてのマイクロコンピュータから構成されており、その入力には車両の外気温度（Ｔａｍ）を検出する外気温度センサ３３と、外気湿度を検出する外気湿度センサ３４と、吸込口２５から空気流通路３に吸い込まれる空気の温度を検出するＨＶＡＣ吸込温度センサ３６と、車室内の空気（内気）の温度を検出する内気温度センサ３７と、車室内の空気の湿度を検出する内気湿度センサ３８と、車室内の二酸化炭素濃度を検出する室内ＣＯ2濃度センサ３９と、吹出口２９から車室内に吹き出される空気の温度を検出する吹出温度センサ４１と、圧縮機２の吐出冷媒圧力（吐出圧力Ｐｄ）を検出する吐出圧力センサ４２と、圧縮機２の吐出冷媒温度を検出する吐出温度センサ４３と、圧縮機２の吸込冷媒温度を検出する吸込温度センサ４４と、放熱器４の温度（放熱器４を経た空気の温度、又は、放熱器４自体の温度：放熱器温度ＴＣＩ）を検出する放熱器温度センサ４６と、放熱器４の冷媒圧力（放熱器４内、又は、放熱器４を出た直後の冷媒の圧力：放熱器圧力ＰＣＩ）を検出する放熱器圧力センサ４７と、吸熱器９の温度（吸熱器９を経た空気の温度、又は、吸熱器９自体の温度：吸熱器温度Ｔｅ）を検出する吸熱器温度センサ４８と、吸熱器９の冷媒圧力（吸熱器９内、又は、吸熱器９を出た直後の冷媒の圧力）を検出する吸熱器圧力センサ４９と、車室内への日射量を検出するための例えばフォトセンサ式の日射センサ５１と、車両の移動速度（車速）を検出するための車速センサ５２と、設定温度や空調運転の切り換えを設定するための空調（エアコン）操作部５３と、室外熱交換器７の温度（室外熱交換器７から出た直後の冷媒の温度、又は、室外熱交換器７自体の温度：室外熱交換器温度ＴＸＯ。室外熱交換器７が蒸発器として機能するとき、室外熱交換器温度ＴＸＯは室外熱交換器７における冷媒の蒸発温度となる）を検出する室外熱交換器温度センサ５４と、室外熱交換器７の冷媒圧力（室外熱交換器７内、又は、室外熱交換器７から出た直後の冷媒の圧力）を検出する室外熱交換器圧力センサ５６の各出力が接続されている。
【００４６】
また、コントローラ３２の入力には更に、バッテリ５５の温度（バッテリ５５自体の温度、又は、バッテリ５５を出た熱媒体の温度、或いは、バッテリ５５に入る熱媒体の温度）を検出するバッテリ温度センサ７６と、熱媒体加熱ヒータ６６の温度（熱媒体加熱ヒータ６６自体の温度、熱媒体加熱ヒータ６６を出た熱媒体の温度）を検出する熱媒体加熱ヒータ温度センサ７７と、冷媒−熱媒体熱交換器６４の熱媒体流路６４Ａを出た熱媒体の温度を検出する第１出口温度センサ７８と、冷媒流路６４Ｂを出た冷媒の温度を検出する第２の出口温度センサ７９の各出力も接続されている。
【００４７】
一方、コントローラ３２の出力には、前記圧縮機２と、室外送風機１５と、室内送風機（ブロワファン）２７と、吸込切換ダンパ２６と、エアミックスダンパ２８と、吹出口切換ダンパ３１と、室外膨張弁６、室内膨張弁８と、電磁弁２２（除湿）、電磁弁１７（冷房）、電磁弁２１（暖房）、電磁弁２０（バイパス）の各電磁弁と、シャッタ２３、循環ポンプ６２、熱媒体加熱ヒータ６６、補助膨張弁７３が接続されている。そして、コントローラ３２は各センサの出力と空調操作部５３にて入力された設定に基づいてこれらを制御するものである。
【００４８】
以上の構成で、次に実施例の車両用空気調和装置１の動作を説明する。コントローラ３２は実施例では暖房運転と、除湿暖房運転と、内部サイクル運転と、除湿冷房運転と、冷房運転の各空調運転を切り換えて実行すると共に、バッテリ５５の温度を所定の適温範囲内に調整する。先ず、冷媒回路Ｒの各空調運転について説明する。
【００４９】
（１）暖房運転
最初に、図３及び図４を参照しながら暖房運転について説明する。図３は暖房運転における冷媒回路Ｒの冷媒の流れ（実線矢印）を示し、図４は暖房運転における冷媒回路Ｒのｐ−ｈ線図を示している。尚、図４では冷媒回路Ｒの各構成機器をｐ−ｈ線図上に示している。コントローラ３２により（オートモード）、或いは、空調操作部５３へのマニュアル操作（マニュアルモード）により暖房運転が選択されると、コントローラ３２は電磁弁２１（暖房用）を開放し、電磁弁１７（冷房用）を閉じる。また、電磁弁２２（除湿用）、電磁弁２０（バイパス用）を閉じる。尚、シャッタ２３は開放する。
【００５０】
そして、圧縮機２、及び、各送風機１５、２７を運転し、エアミックスダンパ２８は室内送風機２７から吹き出された空気が放熱器４に通風される割合を調整する状態とする。これにより、圧縮機２から吐出された高温高圧のガス冷媒は放熱器４に流入する。放熱器４には空気流通路３内の空気が通風されるので、空気流通路３内の空気は放熱器４内の高温冷媒により加熱され、一方、放熱器４内の冷媒は空気に熱を奪われて冷却され、凝縮液化する。
【００５１】
放熱器４内で液化した冷媒は放熱器４を出た後、冷媒配管１３Ｅ、１３Ｊを経て室外膨張弁６に至る。室外膨張弁６に流入した冷媒はそこで減圧された後、室外熱交換器７に流入する。室外熱交換器７に流入した冷媒は蒸発し、走行により、或いは、室外送風機１５にて通風される外気中から熱を汲み上げる（吸熱）。即ち、冷媒回路Ｒがヒートポンプとなる。そして、室外熱交換器７を出た低温の冷媒は冷媒配管１３Ａ及び冷媒配管１３Ｄ、電磁弁２１を経て冷媒配管１３Ｃからアキュムレータ１２に入り、そこで気液分離された後、ガス冷媒が圧縮機２に吸い込まれる循環を繰り返す。放熱器４にて加熱された空気は吹出口２９から吹き出されるので、これにより車室内の暖房が行われることになる。
【００５２】
コントローラ３２は、後述する目標吹出温度ＴＡＯから算出される目標放熱器温度ＴＣＯ（放熱器４の温度ＴＣＩの目標値）から目標放熱器圧力ＰＣＯ（放熱器４の圧力ＰＣＩの目標値）を算出し、この目標放熱器圧力ＰＣＯと、放熱器圧力センサ４７が検出する放熱器４の冷媒圧力（放熱器圧力ＰＣＩ。冷媒回路Ｒの高圧圧力）に基づいて圧縮機２の回転数を制御すると共に、放熱器温度センサ４６が検出する放熱器４の温度（放熱器温度ＴＣＩ）及び放熱器圧力センサ４７が検出する放熱器圧力ＰＣＩに基づいて室外膨張弁６の弁開度を制御し、放熱器４の出口における冷媒の過冷却度を制御する。前記目標放熱器温度ＴＣＯは基本的にはＴＣＯ＝ＴＡＯとされるが、制御上の所定の制限が設けられる。
【００５３】
（２）除湿暖房運転
次に、図５及び図６を参照しながら除湿暖房運転について説明する。図５は除湿暖房運転における冷媒回路Ｒの冷媒の流れ（実線矢印）を示し、図６は除湿暖房運転における冷媒回路Ｒのｐ−ｈ線図を示している。尚、図６では冷媒回路Ｒの各構成機器をｐ−ｈ線図上に示している。除湿暖房運転では、コントローラ３２は上記暖房運転の状態において電磁弁２２と電磁弁１７を開放する。また、シャッタ２３は開放する。これにより、放熱器４を経て冷媒配管１３Ｅを流れる凝縮冷媒の一部が分流され、この分流された冷媒が電磁弁２２を経て冷媒配管１３Ｆに流入し、冷媒配管１３Ｂから室内膨張弁８に流れ、残りの冷媒が室外膨張弁６に流れるようになる。即ち、分流された一部の冷媒が室内膨張弁８にて減圧された後、吸熱器９に流入して蒸発する。
【００５４】
コントローラ３２は吸熱器９の出口における冷媒の過熱度（ＳＨ）を所定値に維持するように室内膨張弁８の弁開度を制御するが、このときに吸熱器９で生じる冷媒の吸熱作用で室内送風機２７から吹き出された空気中の水分が吸熱器９に凝結して付着するので、空気は冷却され、且つ、除湿される。分流されて冷媒配管１３Ｊに流入した残りの冷媒は、室外膨張弁６で減圧された後、室外熱交換器７で蒸発することになる。
【００５５】
吸熱器９で蒸発した冷媒は、冷媒配管１３Ｃに出て冷媒配管１３Ｄからの冷媒（室外熱交換器７からの冷媒）と合流した後、アキュムレータ１２を経て圧縮機２に吸い込まれる循環を繰り返す。吸熱器９にて除湿された空気は放熱器４を通過する過程で再加熱されるので、これにより車室内の除湿暖房が行われることになる。
【００５６】
コントローラ３２は目標放熱器温度ＴＣＯから算出される目標放熱器圧力ＰＣＯと放熱器圧力センサ４７が検出する放熱器圧力ＰＣＩ（冷媒回路Ｒの高圧圧力）に基づいて圧縮機２の回転数を制御すると共に、吸熱器温度センサ４８が検出する吸熱器９の温度（吸熱器温度Ｔｅ）に基づいて室外膨張弁６の弁開度を制御する。
【００５７】
（３）内部サイクル運転
次に、図７及び図８を参照しながら内部サイクル運転について説明する。図７は内部サイクル運転における冷媒回路Ｒの冷媒の流れ（実線矢印）を示し、図８は内部サイクル運転における冷媒回路Ｒのｐ−ｈ線図を示している。尚、図８では冷媒回路Ｒの各構成機器をｐ−ｈ線図上に示している。内部サイクル運転では、コントローラ３２は上記除湿暖房運転の状態において室外膨張弁６を全閉とする（全閉位置）。但し、電磁弁２１は開いた状態を維持し、室外熱交換器７の冷媒出口は圧縮機２の冷媒吸込側に連通させておく。即ち、この内部サイクル運転は除湿暖房運転における室外膨張弁６の制御で当該室外膨張弁６を全閉とした状態であるので、この内部サイクル運転も除湿暖房運転の一部と捉えることができる（シャッタ２３は開）。
【００５８】
但し、室外膨張弁６が閉じられることにより、室外熱交換器７への冷媒の流入は阻止されることになるので、放熱器４を経て冷媒配管１３Ｅを流れる凝縮冷媒は電磁弁２２を経て冷媒配管１３Ｆに全て流れるようになる。そして、冷媒配管１３Ｆを流れる冷媒は冷媒配管１３Ｂより電磁弁１７を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【００５９】
吸熱器９で蒸発した冷媒は冷媒配管１３Ｃを流れ、アキュムレータ１２を経て圧縮機２に吸い込まれる循環を繰り返す。吸熱器９にて除湿された空気は放熱器４を通過する過程で再加熱されるので、これにより、車室内の除湿暖房が行われることになるが、この内部サイクル運転では室内側の空気流通路３内にある放熱器４（放熱）と吸熱器９（吸熱）の間で冷媒が循環されることになるので、外気からの熱の汲み上げは行われず、圧縮機２の消費動力分の暖房能力が発揮される。除湿作用を発揮する吸熱器９には冷媒の全量が流れるので、上記除湿暖房運転に比較すると除湿能力は高いが、暖房能力は低くなる。
【００６０】
また、室外膨張弁６は閉じられるものの、電磁弁２１は開いており、室外熱交換器７の冷媒出口は圧縮機２の冷媒吸込側に連通しているので、室外熱交換器７内の液冷媒は冷媒配管１３Ｄ及び電磁弁２１を経て冷媒配管１３Ｃに流出し、アキュムレータ１２に回収され、室外熱交換器７内はガス冷媒の状態となる。これにより、電磁弁２１を閉じたときに比して、冷媒回路Ｒ内を循環する冷媒量が増え、放熱器４における暖房能力と吸熱器９における除湿能力を向上させることができるようになる。
【００６１】
コントローラ３２は吸熱器９の温度、又は、前述した放熱器圧力ＰＣＩ（冷媒回路Ｒの高圧圧力）に基づいて圧縮機２の回転数を制御する。このとき、コントローラ３２は吸熱器９の温度によるか放熱器圧力ＰＣＩによるか、何れかの演算から得られる圧縮機目標回転数の低い方を選択して圧縮機２を制御する。
【００６２】
（４）除湿冷房運転
次に、図９及び図１０を参照しながら除湿冷房運転について説明する。図９は除湿冷房運転における冷媒回路Ｒの冷媒の流れ（実線矢印）を示し、図１０は除湿冷房運転における冷媒回路Ｒのｐ−ｈ線図を示している。尚、図１０では冷媒回路Ｒの各構成機器をｐ−ｈ線図上に示している。除湿冷房運転では、コントローラ３２は電磁弁１７を開放し、電磁弁２１を閉じる。また、電磁弁２２、電磁弁２０を閉じる。そして、圧縮機２、及び、各送風機１５、２７を運転し、エアミックスダンパ２８は室内送風機２７から吹き出された空気が放熱器４に通風される割合を調整する状態とする。また、シャッタ２３は開放する。これにより、圧縮機２から吐出された高温高圧のガス冷媒は放熱器４に流入する。放熱器４には空気流通路３内の空気が通風されるので、空気流通路３内の空気は放熱器４内の高温冷媒により加熱され、一方、放熱器４内の冷媒は空気に熱を奪われて冷却され、凝縮液化していく。
【００６３】
放熱器４を出た冷媒は冷媒配管１３Ｅを経て室外膨張弁６に至り、開き気味で制御される室外膨張弁６を経て室外熱交換器７に流入する。室外熱交換器７に流入した冷媒はそこで走行により、或いは、室外送風機１５にて通風される外気により空冷され、凝縮する。室外熱交換器７を出た冷媒は冷媒配管１３Ａ、逆止弁１８を経て冷媒配管１３Ｂに入り、更に電磁弁１７を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【００６４】
吸熱器９で蒸発した冷媒は冷媒配管１３Ｃを経てアキュムレータ１２に至り、そこを経て圧縮機２に吸い込まれる循環を繰り返す。吸熱器９にて冷却され、除湿された空気は放熱器４を通過する過程でリヒート（再加熱：暖房時よりも放熱能力は低い）されるので、これにより車室内の除湿冷房が行われることになる。
【００６５】
コントローラ３２は吸熱器温度センサ４８が検出する吸熱器９の温度（吸熱器温度Ｔｅ）とその目標値である目標吸熱器温度ＴＥＯに基づき、吸熱器温度Ｔｅを目標吸熱器温度ＴＥＯにするように圧縮機２の回転数を制御すると共に、放熱器圧力センサ４７が検出する放熱器圧力ＰＣＩ（冷媒回路Ｒの高圧圧力）と目標放熱器温度ＴＣＯから算出される目標放熱器圧力ＰＣＯ（放熱器圧力ＰＣＩの目標値）に基づき、放熱器圧力ＰＣＩを目標放熱器圧力ＰＣＯにするように室外膨張弁６の弁開度を制御することで放熱器４による必要なリヒート量を得る。
【００６６】
（５）冷房運転
次に、図１１及び図１２を参照しながら冷房運転について説明する。図１１は冷房運転における冷媒回路Ｒの冷媒の流れ（実線矢印）を示し、図１２は冷房運転における冷媒回路Ｒのｐ−ｈ線図を示している。尚、図１２では冷媒回路Ｒの各構成機器をｐ−ｈ線図上に示している。冷房運転では、コントローラ３２は上記除湿冷房運転の状態において電磁弁２０を開く（室外膨張弁６の弁開度は自由）。尚、エアミックスダンパ２８は放熱器４に空気が通風される割合を調整する状態とする。また、シャッタ２３は開放する。
【００６７】
これにより、圧縮機２から吐出された高温高圧のガス冷媒は放熱器４に流入する。放熱器４には空気流通路３内の空気は通風されるものの、その割合は小さくなるので（冷房時のリヒートのみのため）、ここは殆ど通過するのみとなり、放熱器４を出た冷媒は冷媒配管１３Ｅを経て室外膨張弁６に至る。このとき電磁弁２０は開放されているので冷媒は電磁弁２０を経て冷媒配管１３Ｊを通過し、そのまま室外熱交換器７に流入し、そこで走行により、或いは、室外送風機１５にて通風される外気により空冷され、凝縮液化する。室外熱交換器７を出た冷媒は冷媒配管１３Ａ、逆止弁１８を経て冷媒配管１３Ｂに入り、更に電磁弁１７を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着し、空気は冷却される。
【００６８】
吸熱器９で蒸発した冷媒は冷媒配管１３Ｃを経てアキュムレータ１２に至り、そこを経て圧縮機２に吸い込まれる循環を繰り返す。吸熱器９にて冷却され、除湿された空気は吹出口２９から車室内に吹き出されるので、これにより車室内の冷房が行われることになる。この冷房運転においては、コントローラ３２は吸熱器温度センサ４８が検出する吸熱器９の温度（吸熱器温度Ｔｅ）に基づいて圧縮機２の回転数を制御する。
【００６９】
（６）空調運転の切り換え
コントローラ３２は下記式（Ｉ）から前述した目標吹出温度ＴＡＯを算出する。この目標吹出温度ＴＡＯは、吹出口２９から車室内に吹き出される空気の温度の目標値である。
ＴＡＯ＝（Ｔｓｅｔ−Ｔｉｎ）×Ｋ＋Ｔｂａｌ（ｆ（Ｔｓｅｔ、ＳＵＮ、Ｔａｍ））
・・（Ｉ）
ここで、Ｔｓｅｔは空調操作部５３で設定された車室内の設定温度、Ｔｉｎは内気温度センサ３７が検出する車室内空気の温度、Ｋは係数、Ｔｂａｌは設定温度Ｔｓｅｔや、日射センサ５１が検出する日射量ＳＵＮ、外気温度センサ３３が検出する外気温度Ｔａｍから算出されるバランス値である。そして、一般的に、この目標吹出温度ＴＡＯは外気温度Ｔａｍが低い程高く、外気温度Ｔａｍが上昇するに伴って低下する。
【００７０】
そして、コントローラ３２は起動時には外気温度センサ３３が検出する外気温度Ｔａｍと目標吹出温度ＴＡＯとに基づいて上記各空調運転のうちの何れかの空調運転を選択する。また、起動後は外気温度Ｔａｍや目標吹出温度ＴＡＯ等の環境や設定条件の変化に応じて前記各空調運転を選択し、切り換えていくものである。
【００７１】
（７）除湿冷房運転時のシャッタ２３の制御と内部サイクル運転への切換
ここで、前述した除湿冷房運転では、コントローラ３２は吸熱器温度センサ４８が検出する吸熱器９の温度（吸熱器温度Ｔｅ）とその目標値である目標吸熱器温度ＴＥＯに基づき、吸熱器温度Ｔｅを目標吸熱器温度ＴＥＯにするように圧縮機２の回転数を制御する。従って、吸熱器温度Ｔｅが満足（目標吸熱器温度ＴＥＯになっている、若しくは、それに近い値になっている）な状態では、圧縮機２の回転数も低くなる。
【００７２】
また、コントローラ３２は放熱器圧力センサ４７が検出する放熱器圧力ＰＣＩ（冷媒回路Ｒの高圧圧力）と目標放熱器圧力ＰＣＯ（放熱器圧力ＰＣＩの目標値）に基づき、放熱器圧力ＰＣＩを目標放熱器圧力ＰＣＯにするように室外膨張弁６の弁開度を制御する。従って、吸熱器温度Ｔｅが満足な状態では圧縮機２の回転数も上げられないため、目標放熱器圧力ＰＣＯよりも放熱器圧力ＰＣＩが低くなる程、コントローラ３２は室外膨張弁６の弁開度を縮小し、できるだけ放熱器４に冷媒をとどめるようにして放熱器４における放熱能力を上げるようにする。
【００７３】
しかしながら、室外膨張弁６の弁開度が小さくなる程、吸熱器９の循環冷媒量が減少するため、吸熱器９に温度斑が生じるようになる。そして、室外膨張弁６の弁開度が制御上の最小開度まで縮小されると、吸熱器９の温度斑は極めて大きくなって、車室内の空調性能が悪化してしまう（吹出口によって吹き出される空気の温度が異なってしまう）。特に、除湿冷房運転では前述した如く室外熱交換器７で冷媒が外気と熱交換する分、放熱器４における放熱能力は低くなるため、外気温度が低くなった場合等にはこのような問題が生じ易くなり、早期に内部サイクル運転、若しくは、除湿暖房運転に移行してしまうことになる。これを防止するには格別な電気ヒータ等を設けて車室内に吹き出される空気を加熱する必要があるが、その分消費電力が増大してしまう。
【００７４】
そこで、コントローラ３２は前述した図９及び図１０の除湿冷房運転において、室外膨張弁６の弁開度を縮小させても放熱器圧力ＰＣＩを目標放熱器圧力ＰＣＯとすることができない場合（即ち、室外膨張弁６の制御では目標放熱器圧力ＰＣＯを達成できない場合）、この実施例では吸熱器温度Ｔｅが満足な状態で室外膨張弁６の弁開度を制御上の最小開度としても放熱器圧力ＰＣＩを目標放熱器圧力ＰＣＯにすることができない場合、放熱器４の放熱能力が不足していると判断して、図１３に示す如くシャッタ２３を閉じ、室外送風機１５も停止する。
【００７５】
これにより、室外熱交換器７には走行風が流入しなくなり、且つ、外気の通風も無くなるので、図１４のｐ−ｈ線図に示す如く、室外熱交換器７における冷媒と外気との熱交換は無くなり、若しくは、室外熱交換器７における冷媒と外気との熱交換量は極めて小さくなる。その分、放熱器４における冷媒の放熱量が増大するため、室外膨張弁６の弁開度を著しく縮小し、或いは、最小開度としなくとも、放熱器圧力ＰＣＩを目標放熱器圧力ＰＣＯとすることができるようになり、吸熱器９に生じる温度斑も解消若しくは抑制することができるようになる。
【００７６】
また、このようにシャッタ２３を閉じることで、格別な電気ヒータ等を用いること無く、除湿冷房運転を延長してその実行可能範囲を拡大することができるようになる。しかしながら、上記のようにシャッタ２３を閉じても放熱器圧力ＰＣＩを目標放熱器圧力ＰＣＯとすることができない場合、コントローラ３２は空調運転を図７及び図８の内部サイクル運転に切り換える。これにより、除湿冷房運転よりも放熱器４（冷媒回路Ｒの高圧側）の冷媒循環量を増やして、放熱器４による放熱能力を増大させ、快適な車室内空調を維持する。
【００７７】
尚、この実施例では吸熱器温度Ｔｅが満足な状態で、室外膨張弁６の弁開度を制御上の最小開度まで縮小しても放熱器圧力ＰＣＩを目標放熱器圧力ＰＣＯにすることができない場合に、放熱器４における放熱能力が不足していると判断することとしたが、吸熱器温度Ｔｅに拘わらず、除湿冷房運転において単に室外膨張弁６の弁開度を所定の小さい値まで縮小させても放熱器圧力ＰＣＩを目標放熱器圧力ＰＣＯにすることができない場合、或いは、放熱器圧力ＰＣＩを目標放熱器圧力ＰＣＯに近い値にすることができない場合に、放熱器４における放熱能力が不足していると判断するようにしてもよい。
【００７８】
（８）バッテリ５５の温度調整
次に、図１５〜図３６を参照しながらコントローラ３２によるバッテリ５５の温度調整制御について説明する。前述した如くバッテリ５５は自己発熱等により温度が高くなった状態で充放電を行うと、劣化が進行する。そこで、本発明の車両用空気調和装置１のコントローラ３２は、上記の如き空調運転を実行しながら、バッテリ温度調整装置６１により、バッテリ５５の温度を適温範囲内に冷却する。このバッテリ５５の適温範囲は一般的には＋２５℃以上＋４５℃以下とされているため、実施例ではこの適温範囲内にバッテリ５５の温度（バッテリ温度Ｔｂ）の目標値である目標バッテリ温度ＴＢＯ（例えば、＋３５℃）を設定するものとする。
【００７９】
（８−１）第１の暖房／バッテリ冷却モード
コントローラ３２は、暖房運転（図３、図４）においては、例えば下記式（ＩＩ）、（ＩＩＩ）を用いて放熱器４に要求される車室内の暖房能力である要求暖房能力Ｑｔｇｔと、放熱器４が発生可能な暖房能力Ｑｈｐを算出している。
Ｑｔｇｔ＝（ＴＣＯ−Ｔｅ）×Ｃｐａ×ρ×Ｑａｉｒ                  ・・（ＩＩ）
Ｑｈｐ＝ｆ（Ｔａｍ、ＮＣ、ＢＬＶ、ＶＳＰ、ＦＡＮＶｏｕｔ、Ｔｅ）・・（ＩＩＩ）
ここで、Ｔｅは吸熱器温度センサ４８が検出する吸熱器９の温度、Ｃｐａは放熱器４に流入する空気の比熱［ｋｊ／ｋｇ・Ｋ］、ρは放熱器４に流入する空気の密度（比体積）［ｋｇ／ｍ3］、Ｑａｉｒは放熱器４を通過する風量［ｍ3／ｈ］（室内送風機２７のブロワ電圧ＢＬＶなどから推定）、ＶＳＰは車速センサ５２から得られる車速、ＦＡＮＶｏｕｔは室外送風機１５の電圧である。
【００８０】
また、コントローラ３２は、バッテリ温度センサ７６が検出するバッテリ５５の温度（バッテリ温度Ｔｂ）と上述した目標バッテリ温度ＴＢＯとに基づき、例えば下記式（ＩＶ）を用いてバッテリ温度調整装置６１に要求されるバッテリ５５の冷却能力である要求バッテリ冷却能力Ｑｂａｔを算出している。
Ｑｂａｔ＝（Ｔｂ−ＴＢＯ）×ｋ１×ｋ２                            ・・（ＩＶ）
ここで、ｋ１はバッテリ温度調整装置６１内を循環する熱媒体の比熱［ｋｊ／ｋｇ・Ｋ］、ｋ２は熱媒体の流量［ｍ3／ｈ］である。尚、要求バッテリ冷却能力Ｑｂａｔを算出する式は上記に限られるものでは無く、上記以外のバッテリ冷却に関連する他のファクターを加味して算出してもよい。
【００８１】
バッテリ温度Ｔｂが目標バッテリ温度ＴＢＯより低い場合（Ｔｂ＜ＴＢＯ）は、上記式（ＩＶ）で算出される要求バッテリ冷却能力Ｑｂａｔはマイナスとなるため、実施例ではコントローラ３２は補助膨張弁７３を全閉とし、バッテリ温度調整装置６１も停止している。一方、前述した暖房運転中に、充放電等によりバッテリ温度Ｔｂが上昇し、目標バッテリ温度ＴＢＯより高くなった場合（ＴＢＯ＜Ｔｂ）、式（ＩＶ）で算出される要求バッテリ冷却能力Ｑｂａｔがプラスに転じるので、実施例ではコントローラ３２は補助膨張弁７３を開き、バッテリ温度調整装置６１を運転してバッテリ５５の冷却を開始する。
【００８２】
その場合、コントローラ３２は上記要求暖房能力Ｑｔｇｔと要求バッテリ冷却能力Ｑｂａｔに基づき、両者を比較して、ここで説明する第１の暖房／バッテリ冷却モードと、後述する第２の暖房／バッテリ冷却モード及び第３の暖房／バッテリ冷却モードを切り換えて実行する。
【００８３】
先ず、車室内の暖房負荷が大きく（例えば内気の温度が低く）、且つ、バッテリ５５の発熱量が小さい（冷却負荷が小さい）状況で、要求暖房能力Ｑｔｇｔが要求バッテリ冷却能力Ｑｂａｔよりも大きい場合（Ｑｔｇｔ＞Ｑｂａｔ）、コントローラ３２は第１の暖房／バッテリ冷却モードを実行する。図１５はこの第１の暖房／バッテリ冷却モードにおける冷媒回路Ｒの冷媒の流れ（実線矢印）とバッテリ温度調整装置６１の熱媒体の流れ（破線矢印）を示し、図１６は第１の暖房／バッテリ冷却モードにおける冷媒回路Ｒのｐ−ｈ線図を示している。尚、図１６では冷媒回路Ｒの各構成機器をｐ−ｈ線図上に示している。
【００８４】
この第１の暖房／バッテリ冷却モードでは、コントローラ３２は図３及び図４に示した冷媒回路Ｒの暖房運転の状態で、更に電磁弁２２を開き、補助膨張弁７３も開いてその弁開度を制御する状態とする。そして、バッテリ温度調整装置６１の循環ポンプ６２を運転する。これにより、放熱器４から出た冷媒の一部が室外膨張弁６の冷媒上流側で分流され、冷媒配管１３Ｆを経て電磁弁１７の冷媒上流側に至る。冷媒は次に分岐配管７２に入り、補助膨張弁７３で減圧された後、分岐配管７２を経て冷媒−熱媒体熱交換器６４の冷媒流路６４Ｂに流入して蒸発する。このときに吸熱作用を発揮する。この冷媒流路６４Ｂで蒸発した冷媒は、冷媒配管７４、冷媒配管１３Ｃ及びアキュムレータ１２を順次経て圧縮機２に吸い込まれる循環を繰り返す（図１５に実線矢印で示す）。
【００８５】
一方、循環ポンプ６２から吐出された熱媒体は熱媒体加熱ヒータ６６を経て熱媒体配管６８内を冷媒−熱媒体熱交換器６４の熱媒体流路６４Ａに至り、そこで冷媒流路６４Ｂ内で蒸発する冷媒により吸熱され、熱媒体は冷却される。冷媒の吸熱作用で冷却された熱媒体は、冷媒−熱媒体熱交換器６４を出てバッテリ５５に至り、当該バッテリ５５を冷却した後、循環ポンプ６２に吸い込まれる循環を繰り返す（図１５に破線矢印で示す）。
【００８６】
このようにして第１の暖房／バッテリ冷却モードでは、冷媒回路Ｒの冷媒が室外熱交換器７と冷媒−熱媒体熱交換器６４にて蒸発し、外気から吸熱すると共にバッテリ温度調整装置６１の熱媒体（バッテリ５５）からも吸熱する。これにより、熱媒体を介してバッテリ５５から熱を汲み上げ、バッテリ５５を冷却しながら、汲み上げた熱を放熱器４に搬送し、車室内の暖房に利用することができるようになる。
【００８７】
この第１の暖房／バッテリ冷却モードにおいて、上記のように外気からの吸熱とバッテリ５５から吸熱によっても前述した放熱器４の暖房能力Ｑｈｐにより要求暖房能力Ｑｔｇｔを達成できない場合（Ｑｔｇｔ＞Ｑｈｐ）、コントローラ３２は熱媒体加熱ヒータ６６を発熱させる（通電）。
【００８８】
熱媒体加熱ヒータ６６が発熱すると、バッテリ温度調整装置６１の循環ポンプ６２から吐出された熱媒体は、熱媒体加熱ヒータ６６で加熱された後、冷媒−熱媒体熱交換器６４の熱媒体流路６４Ａに流入するようになるので、熱媒体加熱ヒータ６６の熱も冷媒流路６４Ｂで蒸発する冷媒により汲み上げられるようになり、放熱器４による暖房能力Ｑｈｐが増大して要求暖房能力Ｑｔｇｔを達成することができるようになる。尚、コントローラ３２は暖房能力Ｑｈｐが要求暖房能力Ｑｔｇｔを達成できるようになった時点で熱媒体加熱ヒータ６６の発熱を停止する（非通電）。
【００８９】
（８−２）第３の暖房／バッテリ冷却モード
次に、車室内の暖房負荷とバッテリ５５の冷却負荷が略同じ場合、即ち、要求暖房能力Ｑｔｇｔと要求バッテリ冷却能力Ｑｂａｔが等しいか、近似する場合（Ｑｔｇｔ≒Ｑｂａｔ）、コントローラ３２は第３の暖房／バッテリ冷却モードを実行する。図１７はこの第３の暖房／バッテリ冷却モードにおける冷媒回路Ｒの冷媒の流れ（実線矢印）とバッテリ温度調整装置６１の熱媒体の流れ（破線矢印）を示し、図１８は第３の暖房／バッテリ冷却モードにおける冷媒回路Ｒのｐ−ｈ線図を示している。尚、図１８では冷媒回路Ｒの各構成機器をｐ−ｈ線図上に示している。
【００９０】
この第３の暖房／バッテリ冷却モードでは、コントローラ３２は電磁弁１７、２０、２１を閉じ、室外膨張弁６を全閉とし、電磁弁２２を開き、補助膨張弁７３も開いてその弁開度を制御する状態とする。そして、圧縮機２及び室内送風機２７を運転し、バッテリ温度調整装置６１の循環ポンプ６２も運転する（熱媒体加熱ヒータ６６は非通電）。これにより、放熱器４から出た全ての冷媒が電磁弁２２に流れ、冷媒配管１３Ｆを経て電磁弁１７の冷媒上流側に至るようになる。冷媒は次に分岐配管７２に入り、補助膨張弁７３で減圧された後、分岐配管７２を経て冷媒−熱媒体熱交換器６４の冷媒流路６４Ｂに流入して蒸発する。このときに吸熱作用を発揮する。この冷媒流路６４Ｂで蒸発した冷媒は、冷媒配管７４、冷媒配管１３Ｃ及びアキュムレータ１２を順次経て圧縮機２に吸い込まれる循環を繰り返す（図１７に実線矢印で示す）。
【００９１】
一方、循環ポンプ６２から吐出された熱媒体は熱媒体加熱ヒータ６６を経て熱媒体配管６８内を冷媒−熱媒体熱交換器６４の熱媒体流路６４Ａに至り、そこで冷媒流路６４Ｂ内で蒸発する冷媒により吸熱され、熱媒体は冷却される。冷媒の吸熱作用で冷却された熱媒体は、冷媒−熱媒体熱交換器６４を出てバッテリ５５に至り、当該バッテリ５５を冷却した後、循環ポンプ６２に吸い込まれる循環を繰り返す（図１８に破線矢印で示す）。
【００９２】
このようにして第３の暖房／バッテリ冷却モードでは、冷媒回路Ｒの冷媒が冷媒−熱媒体熱交換器６４にて蒸発し、バッテリ温度調整装置６１の熱媒体（バッテリ５５）のみから吸熱する。これにより、冷媒は室外熱交換器７に流入せず、冷媒は熱媒体を介してバッテリ５５のみから熱を汲み上げることになるので、室外熱交換器７への着霜の問題を解消しながら、バッテリ５５を冷却し、当該バッテリ５５から汲み上げた熱を放熱器４に搬送して車室内を暖房することができるようになる。
【００９３】
（８−３）第２の暖房／バッテリ冷却モード
次に、車室内の暖房負荷が小さく（例えば内気の温度が比較的高く）、バッテリ５５の発熱量が大きい（冷却負荷が大きい）場合、即ち、要求バッテリ冷却能力Ｑｂａｔが要求暖房能力Ｑｔｇｔより大きい場合（Ｑｔｇｔ＜Ｑｂａｔ）、コントローラ３２は第２の暖房／バッテリ冷却モードを実行する。図１９はこの第２の暖房／バッテリ冷却モードにおける冷媒回路Ｒの冷媒の流れ（実線矢印）とバッテリ温度調整装置６１の熱媒体の流れ（破線矢印）を示し、図２０は第２の暖房／バッテリ冷却モードにおける冷媒回路Ｒのｐ−ｈ線図を示している。尚、図２０では冷媒回路Ｒの各構成機器をｐ−ｈ線図上に示している。
【００９４】
この第２の暖房／バッテリ冷却モードでは、コントローラ３２は電磁弁１７、２０、２１、２２を閉じ、室外膨張弁６を開き、補助膨張弁７３も開いてその弁開度を制御する状態とする。そして、圧縮機２、室外送風機１５及び室内送風機２７を運転し、シャッタ２３を開放し、バッテリ温度調整装置６１の循環ポンプ６２も運転する（熱媒体加熱ヒータ６６は非通電）。これにより、放熱器４から出た冷媒は室外膨張弁６を経て室外熱交換器７に流入し、冷媒配管１３Ａを経て電磁弁１７の冷媒上流側に至るようになる。冷媒は次に分岐配管７２に入り、補助膨張弁７３で減圧された後、分岐配管７２を経て冷媒−熱媒体熱交換器６４の冷媒流路６４Ｂに流入して蒸発する。このときに吸熱作用を発揮する。この冷媒流路６４Ｂで蒸発した冷媒は、冷媒配管７４、冷媒配管１３Ｃ及びアキュムレータ１２を順次経て圧縮機２に吸い込まれる循環を繰り返す（図１９に実線矢印で示す）。
【００９５】
一方、循環ポンプ６２から吐出された熱媒体は熱媒体加熱ヒータ６６を経て熱媒体配管６８内を冷媒−熱媒体熱交換器６４の熱媒体流路６４Ａに至り、そこで冷媒流路６４Ｂ内で蒸発する冷媒により吸熱され、熱媒体は冷却される。冷媒の吸熱作用で冷却された熱媒体は、冷媒−熱媒体熱交換器６４を出てバッテリ５５に至り、当該バッテリ５５を冷却した後、循環ポンプ６２に吸い込まれる循環を繰り返す（図２０に破線矢印で示す）。
【００９６】
このようにして第２の暖房／バッテリ冷却モードでは、冷媒回路Ｒの冷媒は放熱器４と室外熱交換器７で放熱し、冷媒−熱媒体熱交換器６４にて蒸発し、バッテリ温度調整装置６１の熱媒体（バッテリ５５）から吸熱するようになる。コントローラ３２はバッテリ温度センサ７６が検出するバッテリ温度Ｔｂと目標バッテリ温度ＴＢＯに基づいて圧縮機２の運転（回転数ＮＣ）を制御することで、バッテリ温度調整装置６１によるバッテリ５５の冷却能力を調整する。
【００９７】
また、室外膨張弁６の弁開度を制御して放熱器４の冷媒の流通を制御し、当該放熱器４における冷媒の放熱量を調整し、補助膨張弁７３の弁開度を制御して室外熱交換器７の冷媒の流通を制御し、当該室外熱交換器７における冷媒の放熱量を調整する。これにより、バッテリ５５を冷却してその熱を外気中に廃棄し、車室内の暖房も行うことができるようになる。
【００９８】
ここで、バッテリ５５の急速充電が行われる等により、バッテリ５５の発熱量が極めて大きくなり、要求バッテリ冷却能力Ｑｂａｔが要求暖房能力Ｑｔｇｔに比べて極めて大きくなった場合（Ｑｔｇｔ＜＜Ｑｂａｔ）、コントローラ３２は図１９、図２０の第２の暖房／バッテリ冷却モードの状態において、更に電磁弁２０を開く。図２１はこの場合の第２の暖房／バッテリ冷却モードにおける冷媒回路Ｒの冷媒の流れ（実線矢印）とバッテリ温度調整装置６１の熱媒体の流れ（破線矢印）を示し、図２２はこの場合の第２の暖房／バッテリ冷却モードにおける冷媒回路Ｒのｐ−ｈ線図を示している（図２２では冷媒回路Ｒの各構成機器をｐ−ｈ線図上に示している）。
【００９９】
上記のように図１９、図２０の状態に加えて冷媒回路Ｒの電磁弁２０が開放されることで、放熱器４で放熱した冷媒は、当該放熱器４から出てそのまま室外熱交換器７に流入し、外気中に放熱するようになる（図２１に実線矢印で示す）。これにより、バッテリ５５で発生した大量の熱を利用して車室内を暖房しながら、大量の余分な熱は外気中に放出することができるようになる。コントローラ３２はこの場合もバッテリ温度センサ７６が検出するバッテリ温度Ｔｂと目標バッテリ温度ＴＢＯに基づいて圧縮機２の運転（回転数ＮＣ）を制御することで、バッテリ温度調整装置６１によるバッテリ５５の冷却能力を調整する。
【０１００】
また、コントローラ３２は室外送風機１５の回転数やシャッタ２３を開閉することで室外熱交換器７への通風を制御し、車室内の暖房能力を調整する。但し、室外送風機１５の回転数を最大としても放熱器４における暖房能力が過多となる場合（バッテリ５５の発熱量が極めて大きい状況）、コントローラ３２はエアミックスダンパ２８を制御して放熱器４への通風割合を例えば下げる方向に制御し、車室内の暖房能力を調整する。
【０１０１】
上述した如くコントローラ３２が、圧縮機２から吐出された冷媒を放熱器４にて放熱させ、放熱した当該冷媒を減圧した後、室外熱交換器７と冷媒−熱媒体熱交換器６４にて吸熱させる第１の暖房／バッテリ冷却モードと、圧縮機２から吐出された冷媒を放熱器４と室外熱交換器７にて放熱させ、放熱した当該冷媒を減圧した後、冷媒−熱媒体熱交換器６４にて吸熱させる第２の暖房／バッテリ冷却モードを実行するようにしたので、バッテリ５５の発熱量が小さいときは、第１の暖房／バッテリ冷却モードを実行し、室外熱交換器７で外気から吸熱し、更に、バッテリ５５の熱を汲み上げて当該バッテリ５５を冷却しながら、車室内を暖房することができると共に、急速充電時等にバッテリ５５の発熱量が大きいときには、第２の暖房／バッテリ冷却モードを実行し、室外熱交換器７でバッテリ５５の熱を外気中に放出し、バッテリ５５を冷却しながら、車室内を暖房することができるようになる。
【０１０２】
このように、車室内の暖房を行うときに室外熱交換器７での冷媒の吸熱と放熱を切り換えることができるので、バッテリ５５の熱を有効に利用して効率良く車室内の暖房を行って室外熱交換器７への着霜を抑制しながら、適切にバッテリ５５の冷却を行うことができるようになる。
【０１０３】
更に、コントローラ３２は、室外熱交換器７への冷媒の流入を阻止し、圧縮機２から吐出された冷媒を放熱器４にて放熱させ、放熱した当該冷媒を減圧した後、冷媒−熱媒体熱交換器６４のみで吸熱させる第３の暖房／バッテリ冷却モードを実行するので、車室内の暖房に必要な熱量（暖房負荷）とバッテリの発熱量（バッテリ冷却負荷）が略等しくなるときには、第３の暖房／バッテリ冷却モードを実行し、バッテリ５５から汲み上げた熱だけで車室内を暖房することができるようになる。これにより、室外熱交換器７への着霜の問題を解消しながら、効率的に車室内を暖房し、適切にバッテリ５５を冷却することができるようになる。
【０１０４】
この場合、コントローラ３２は放熱器４に要求される要求暖房能力Ｑｔｇｔと、バッテリ温度調整装置６１に要求される要求バッテリ冷却能力Ｑｂａｔに基づき、前述した各暖房／バッテリ冷却モードを切り換えて実行するので、車室内の暖房とバッテリ５５の冷却を適切に両立させることが可能となる。
【０１０５】
具体的には実施例では、コントローラ３２は、要求暖房能力Ｑｔｇｔが要求バッテリ冷却能力Ｑｂａｔよりも大きい場合、第１の暖房／バッテリ冷却モードを実行し、要求暖房能力Ｑｔｇｔと要求バッテリ冷却能力Ｑｂａｔが等しいか近似する値である場合、第３の暖房／バッテリ冷却モードを実行し、要求バッテリ冷却能力Ｑｂａｔが要求暖房能力Ｑｔｇｔよりも大きい場合、第２の暖房／バッテリ冷却モードを実行するので、各暖房／バッテリ冷却モードを適切に切り換えて効率的な車室内の暖房と、効果的なバッテリ５５の冷却を円滑に行うことができるようになる。
【０１０６】
また、コントローラ３２は、第１の暖房／バッテリ冷却モードにおいて、放熱器４が発生可能な暖房能力Ｑｈｐにより要求暖房能力Ｑｔｇｔを達成できない場合、熱媒体加熱ヒータ６６により熱媒体を加熱するので、バッテリ５５の発熱量が小さく、第１の暖房／バッテリ冷却モードで放熱器４による車室内の暖房能力が不足するときには、バッテリ温度調整装置６１の熱媒体加熱ヒータ６６により熱媒体を加熱して、この熱を冷媒により汲み上げ、不足分を補完することが可能となる。
【０１０７】
また、実施例ではコントローラ３２が、第２の暖房／バッテリ冷却モードにおいて、圧縮機２の運転（回転数ＮＣ）を制御することでバッテリ温度調整装置６１によるバッテリ５５の冷却能力を調整すると共に、放熱器４や室外熱交換器７の冷媒の流通、又は、放熱器４や室外熱交換器７への通風を制御することで放熱器４による車室内の暖房能力を調整するようにしたので、バッテリ５５の発熱量が大きいときに、第２の暖房／バッテリ冷却モードで圧縮機２の制御によりバッテリ５５の冷却能力を調整することで効果的にバッテリ５５を冷却し、放熱器４による暖房は当該放熱器４や室外熱交換器７の冷媒の流通や通風を制御することで適切に調整することができるようになる。
【０１０８】
この場合のコントローラ３２が放熱器４の冷媒の流通を制御する手段は、実施例では室外熱交換器７に流入する冷媒を減圧するための室外膨張弁６であり、コントローラ３２が室外熱交換器７の冷媒の流通を制御する手段は、冷媒−熱媒体熱交換器６４に流入する冷媒を減圧するための補助膨張弁７３である。また、コントローラ３２が放熱器４への通風を制御する手段は、実施例では空気流通路３内の空気を放熱器４に通風する割合を調整するためのエアミックスダンパ２８であり、コントローラ３２が室外熱交換器７への通風を制御する手段は、実施例では室外熱交換器７に外気を通風するための室外送風機１５や室外熱交換器７への走行風の流入を阻止するためのシャッタ２３である。
【０１０９】
そして、実施例では冷媒回路Ｒに、放熱器４から出て室外熱交換器７に流入する冷媒を減圧するための室外膨張弁６と、室外熱交換器７から出た冷媒を吸熱させて空気流通路３から車室内に供給する空気を冷却するための吸熱器９と、この吸熱器９への冷媒の流入を制御するための電磁弁１７及び室内膨張弁８（弁装置）と、室外熱交換器７から出た冷媒を電磁弁１７に流すこと無く、圧縮機２に吸い込ませるための冷媒配管１３Ｄ（第１のバイパス回路）と、この冷媒配管１３Ｄに設けられた電磁弁２１（第１の開閉弁）と、放熱器４から出た冷媒を室外膨張弁６の冷媒上流側から分流して電磁弁１７の冷媒上流側に流すための冷媒配管１３Ｆ（第２のバイパス回路）と、この冷媒配管１３Ｆに設けられた電磁弁２２（第２の開閉弁）と、冷媒配管１３Ｆから出た冷媒を冷媒−熱媒体熱交換器６４に流すための分岐配管７２（分岐回路）と、この分岐配管７２に設けられて冷媒−熱媒体熱交換器６４に流入する冷媒を減圧するための補助膨張弁７３と、冷媒配管１３Ｆから出た冷媒が室外熱交換器７に流入することを阻止するための逆止弁１８を設け、コントローラ３２により室外膨張弁６、電磁弁１７、電磁弁２１、電磁弁２２、補助膨張弁７３及びバッテリ温度調整装置６１の循環ポンプ６２を制御し、第１の暖房／バッテリ冷却モード、第２の暖房／バッテリ冷却モード及び第３の暖房／バッテリ冷却モードを切り換えて実行するようにしたので、電磁弁２１及び電磁弁２２を開き、電磁弁１７を閉じて室外膨張弁６及び補助膨張弁７３により室外熱交換器７及び冷媒−熱媒体熱交換器６４に流入する冷媒を減圧することで第１の暖房／バッテリ冷却モードを実行し、電磁弁２２を開き、室外膨張弁６を全閉とし、電磁弁２１及び電磁弁１７を閉じて補助膨張弁７３により冷媒−熱媒体熱交換器６４に流入する冷媒を減圧することで第３の暖房／バッテリ冷却モードを実行し、室外膨張弁６を開き、電磁弁２１、電磁弁２２及び電磁弁１７を閉じて補助膨張弁７３により冷媒−熱媒体熱交換器６４に流入する冷媒を減圧することで第２の暖房／バッテリ冷却モードを実行することができるようになる。
【０１１０】
尚、実施例では電磁弁１７と室内膨張弁８で吸熱器９への冷媒の流入を制御したが、室内膨張弁８を全閉可能な電動弁で構成すれば、電磁弁１７を削除し、室内膨張弁８のみでその役割を達成することも可能である。即ち、その場合には本願の実施例において電磁弁１７を閉じる動作は室内膨張弁８の弁開度を全閉とする動作となる。
【０１１１】
（８−４）除霜／暖房／バッテリ冷却モード
次に、コントローラ３２による除霜／暖房／バッテリ冷却モードについて説明する。暖房運転中には前述した如く室外熱交換器７は蒸発器として機能するため、室外熱交換器７には外気中の水分が霜となって成長し、熱交換効率が低下して来る。コントローラ３２は、例えば外気温度Ｔａｍや圧縮機２の回転数ＮＣ等から算出される無着霜時の室外熱交換器温度ＴＸＯｂａｓｅを算出し、この無着霜時の室外熱交換器温度ＴＸＯｂａｓｅと室外熱交換器温度センサ５４が検出する室外熱交換器温度ＴＸＯとを常時比較している。そして、室外熱交換器温度ＴＸＯが無着霜時の室外熱交換器温度ＴＸＯｂａｓｅより低下してその差が所定値以上となった場合、前述した式（ＩＶ）で算出される要求バッテリ冷却能力Ｑｂａｔがプラスとなっているときには、室外熱交換器７を除霜しながら車室内の暖房とバッテリ５５の冷却を行う除霜／暖房／バッテリ冷却モードを実行する（図２３、図２４）。
【０１１２】
この除霜／暖房／バッテリ冷却モードは、前述した図２１の第２の暖房／バッテリ冷却モードの冷媒回路Ｒの状態においてシャッタ２３を閉じ、室外熱交換器７への走行風の流入を阻止する。また、室外送風機１５は停止し、圧縮機２と室内送風機２７を運転する。そして、バッテリ温度調整装置６１の循環ポンプ６２も運転し、冷媒−熱媒体熱交換器６４において冷媒と熱媒体とを熱交換させる。尚、実施例の如くシャッタ２３が設けられている場合にはそれを閉めるが、設けられていない場合には、室外送風機１５を停止して外気の強制通風を停止するのみとなる。図２３はこの除霜／暖房／バッテリ冷却モードにおける冷媒回路Ｒの冷媒の流れ（実線矢印）とバッテリ温度調整装置６１の熱媒体の流れ（破線矢印）を示し、図２４は除霜／暖房／バッテリ冷却モードにおける冷媒回路Ｒのｐ−ｈ線図を示している（図２４では冷媒回路Ｒの各構成機器をｐ−ｈ線図上に示している）。
【０１１３】
これにより、圧縮機２から吐出された高温の冷媒は、放熱器４に流入して放熱し、空気流通路３内を流通する空気を加熱した後、電磁弁２０を経て室外熱交換器７に流入する。この室外熱交換器７には外気や走行風は通風されないので、室外熱交換器７に成長した着霜は、流入した高温の冷媒によって加熱され、融解されていく。一方、冷媒は室外熱交換器７で凝縮し、室外熱交換器７から出て前述同様に分岐配管７２に入り、補助膨張弁７３で減圧された後、冷媒−熱媒体熱交換器６４の冷媒流路６４Ｂで蒸発する。
【０１１４】
冷媒はここでバッテリ温度調整装置６１内を循環する熱媒体から吸熱するので、結果としてバッテリ５５を冷却し、熱媒体から汲み上げた熱で室外熱交換器７を除霜しながら車室内を暖房することになる。尚、室外熱交換器７を急速除霜したい場合には、コントローラ３２により熱媒体加熱ヒータ６６を発熱させてもよい。その場合には、熱媒体加熱ヒータ６６の熱も冷媒により汲み上げられ、室外熱交換器７に搬送されて除霜に寄与することになる。
【０１１５】
このようにコントローラ３２は、室外熱交換器７に外気を通風しない状態、若しくは、走行風の流入を阻止した状態で、圧縮機２から吐出された冷媒を放熱器４と室外熱交換器７にて放熱させ、放熱した当該冷媒を補助膨張弁７３で減圧した後、冷媒−熱媒体熱交換器６４にて吸熱させる除霜／暖房／バッテリ冷却モードを実行するので、圧縮機２から吐出された高温の冷媒によって室外熱交換器７の除霜を行いながら、バッテリ５５の熱を汲み上げて車室内の暖房を行うことができるようになる。
【０１１６】
（８−５）冷房／バッテリ冷却モード
次に、前述した冷房運転中に、充放電等によりバッテリ温度Ｔｂが上昇し、目標バッテリ温度ＴＢＯより高くなった場合（ＴＢＯ＜Ｔｂ）、実施例ではコントローラ３２は補助膨張弁７３を開き、バッテリ温度調整装置６１を運転してバッテリ５５の冷却を開始することで冷房／バッテリ冷却モードを実行する（図２５、図２６）。
【０１１７】
この冷房／バッテリ冷却モードでは、コントローラ３２は前述した図１１の冷房運転の冷媒回路Ｒの状態において、補助膨張弁７３を開いてその弁開度を制御し、バッテリ温度調整装置６１の循環ポンプ６２も運転して、冷媒−熱媒体熱交換器６４において冷媒と熱媒体とを熱交換させる状態とする。尚、熱媒体加熱ヒータ６６には通電しない。図２５はこの冷房／バッテリ冷却モードにおける冷媒回路Ｒの冷媒の流れ（実線矢印）とバッテリ温度調整装置６１の熱媒体の流れ（破線矢印）を示し、図２６は冷房／バッテリ冷却モードにおける冷媒回路Ｒのｐ−ｈ線図を示している（図２６では冷媒回路Ｒの各構成機器をｐ−ｈ線図上に示している）。
【０１１８】
これにより、圧縮機２から吐出された高温の冷媒は、放熱器４、電磁弁２０を順次経て室外熱交換器７に流入し、そこで室外送風機１５により通風される外気や走行風と熱交換して放熱し、凝縮する。室外熱交換器７で凝縮した冷媒の一部は室内膨張弁８に至り、そこで減圧された後、吸熱器９に流入して蒸発する。このときの吸熱作用で空気流通路３内の空気が冷却されるので、車室内は冷房される。
【０１１９】
室外熱交換器７で凝縮した冷媒の残りは分岐配管７２に分流され、補助膨張弁７３で減圧された後、冷媒−熱媒体熱交換器６４の冷媒流路６４Ｂで蒸発する。冷媒はここでバッテリ温度調整装置６１内を循環する熱媒体から吸熱するのでバッテリ５５は前述同様に冷却される。尚、吸熱器９から出た冷媒は冷媒配管１３Ｃ、アキュムレータ１２を経て圧縮機２に吸い込まれ、冷媒−熱媒体熱交換器６４を出た冷媒も冷媒配管７４からアキュムレータ１２を経て圧縮機２に吸い込まれることになる。
【０１２０】
（８−６）除湿冷房／バッテリ冷却モード
次に、前述した除湿冷房運転中に、充放電等によりバッテリ温度Ｔｂが上昇し、目標バッテリ温度ＴＢＯより高くなった場合（ＴＢＯ＜Ｔｂ）、実施例ではコントローラ３２は補助膨張弁７３を開き、バッテリ温度調整装置６１を運転してバッテリ５５の冷却を開始することで除湿冷房／バッテリ冷却モードを実行する（図２７、図２８）。
【０１２１】
この除湿冷房／バッテリ冷却モードでは、コントローラ３２は前述した図９の除湿冷房運転の冷媒回路Ｒの状態において、補助膨張弁７３を開いてその弁開度を制御し、バッテリ温度調整装置６１の循環ポンプ６２も運転して、冷媒−熱媒体熱交換器６４において冷媒と熱媒体とを熱交換させる状態とする。尚、熱媒体加熱ヒータ６６には通電しない。図２７はこの除湿冷房／バッテリ冷却モードにおける冷媒回路Ｒの冷媒の流れ（実線矢印）とバッテリ温度調整装置６１の熱媒体の流れ（破線矢印）を示し、図２８は除湿冷房／バッテリ冷却モードにおける冷媒回路Ｒのｐ−ｈ線図を示している（図２８では冷媒回路Ｒの各構成機器をｐ−ｈ線図上に示している）。
【０１２２】
これにより、圧縮機２から吐出された高温高圧のガス冷媒は放熱器４に流入する。放熱器４には空気流通路３内の空気が通風されるので、空気流通路３内の空気は放熱器４内の高温冷媒により加熱され、一方、放熱器４内の冷媒は空気に熱を奪われて冷却され、凝縮液化していく。放熱器４を出た冷媒は室外膨張弁６に至り、開き気味で制御される室外膨張弁６を経て室外熱交換器７に流入する。室外熱交換器７に流入した冷媒はそこで走行により、或いは、室外送風機１５にて通風される外気により空冷され、凝縮する。室外熱交換器７を出た冷媒の一部は室内膨張弁８に至り、そこで減圧された後、吸熱器９に流入して蒸発する。このときの吸熱作用で空気流通路３から車室内に供給される空気は冷却され、且つ、除湿されるので、車室内は除湿冷房される。
【０１２３】
室外熱交換器７で凝縮した冷媒の残りは分岐配管７２に分流され、補助膨張弁７３で減圧された後、冷媒−熱媒体熱交換器６４の冷媒流路６４Ｂで蒸発する。冷媒はここでバッテリ温度調整装置６１内を循環する熱媒体から吸熱するのでバッテリ５５は前述同様に冷却される。尚、吸熱器９から出た冷媒は冷媒配管１３Ｃ、アキュムレータ１２を経て圧縮機２に吸い込まれ、冷媒−熱媒体熱交換器６４を出た冷媒も冷媒配管７４からアキュムレータ１２を経て圧縮機２に吸い込まれることになる。
【０１２４】
尚、前述した図１３に示す如くこの除湿冷房運転においてシャッタ２３を閉じ、室外送風機１５も停止した状態においてもバッテリ５５の冷却を行うことができる。この除湿冷房／バッテリ冷却モード（シャッタ閉）の冷媒の流れとシャッタ２３の状態を図２９に示し、冷媒回路Ｒのｐ−ｈ線図を図３０に示す（図３０では冷媒回路Ｒの各構成機器をｐ−ｈ線図上に示している）。
【０１２５】
即ち、この場合にも室外熱交換器７には走行風が流入しなくなり、外気の通風も無くなるので、図３０のｐ−ｈ線図に示す如く、室外熱交換器７における冷媒と外気との熱交換量は極めて小さくなる。その分、放熱器４における冷媒の放熱量が増大するため、室外膨張弁６の弁開度を著しく縮小し、或いは、最小開度としなくとも、放熱器圧力ＰＣＩを目標放熱器圧力ＰＣＯとすることができるようになり、吸熱器９に生じる温度斑も防止することができるようになる。
【０１２６】
室外熱交換器７を出た冷媒は図２７の場合と同様に室内膨張弁８から吸熱器９に向かうものと分岐配管７２に向かいものとに分流され、分岐配管７２に流入した冷媒は補助膨張弁７３で減圧された後、冷媒−熱媒体熱交換器６４の冷媒流路６４Ｂで蒸発する。冷媒はここでバッテリ温度調整装置６１内を循環する熱媒体から吸熱するのでバッテリ５５は前述同様に冷却される。尚、吸熱器９から出た冷媒は冷媒配管１３Ｃ、アキュムレータ１２を経て圧縮機２に吸い込まれ、冷媒−熱媒体熱交換器６４を出た冷媒も冷媒配管７４からアキュムレータ１２を経て圧縮機２に吸い込まれることになる。
【０１２７】
（８−７）内部サイクル／バッテリ冷却モード
次に、前述した内部サイクル運転中に、充放電等によりバッテリ温度Ｔｂが上昇し、目標バッテリ温度ＴＢＯより高くなった場合（ＴＢＯ＜Ｔｂ）、実施例ではコントローラ３２は補助膨張弁７３を開き、バッテリ温度調整装置６１を運転してバッテリ５５の冷却を開始することで内部サイクル／バッテリ冷却モードを実行する（図３１、図３２）。
【０１２８】
この内部サイクル／バッテリ冷却モードでは、コントローラ３２は前述した図７の内部サイクル運転の冷媒回路Ｒの状態において、補助膨張弁７３を開いてその弁開度を制御し、バッテリ温度調整装置６１の循環ポンプ６２も運転して、冷媒−熱媒体熱交換器６４において冷媒と熱媒体とを熱交換させる状態とする。尚、熱媒体加熱ヒータ６６には通電しない。図３１はこの内部サイクル／バッテリ冷却モードにおける冷媒回路Ｒの冷媒の流れ（実線矢印）とバッテリ温度調整装置６１の熱媒体の流れ（破線矢印）を示し、図３２は内部サイクル／バッテリ冷却モードにおける冷媒回路Ｒのｐ−ｈ線図を示している（図３２では冷媒回路Ｒの各構成機器をｐ−ｈ線図上に示している）。
【０１２９】
これにより、圧縮機２から吐出された高温の冷媒は放熱器４で放熱した後、電磁弁２２を経て冷媒配管１３Ｆに全て流れるようになる。そして、冷媒配管１３Ｆを出た冷媒の一部は冷媒配管１３Ｂより電磁弁１７を経て室内膨張弁８に至り、そこで減圧された後、吸熱器９に流入して蒸発する。このときの吸熱作用で室内送風機２７から吹き出された空気中の水分が吸熱器９に凝結して付着するので、空気は冷却され、且つ、除湿される。
【０１３０】
冷媒配管１３Ｆを出た冷媒の残りは分岐配管７２に分流され、補助膨張弁７３で減圧された後、冷媒−熱媒体熱交換器６４の冷媒流路６４Ｂで蒸発する。冷媒はここでバッテリ温度調整装置６１内を循環する熱媒体から吸熱するのでバッテリ５５は前述同様に冷却される。尚、吸熱器９から出た冷媒は冷媒配管１３Ｃ、アキュムレータ１２を経て圧縮機２に吸い込まれ、冷媒−熱媒体熱交換器６４を出た冷媒も冷媒配管７４からアキュムレータ１２を経て圧縮機２に吸い込まれることになる。
【０１３１】
（８−８）除湿暖房／バッテリ冷却モード
次に、前述した除湿暖房運転中に、充放電等によりバッテリ温度Ｔｂが上昇し、目標バッテリ温度ＴＢＯより高くなった場合（ＴＢＯ＜Ｔｂ）、実施例ではコントローラ３２は補助膨張弁７３を開き、バッテリ温度調整装置６１を運転してバッテリ５５の冷却を開始することで除湿暖房／バッテリ冷却モードを実行する（図３３、図３４）。
【０１３２】
この除湿暖房／バッテリ冷却モードでは、コントローラ３２は前述した図５の除湿暖房運転の冷媒回路Ｒの状態において、補助膨張弁７３を開いてその弁開度を制御し、バッテリ温度調整装置６１の循環ポンプ６２も運転して、冷媒−熱媒体熱交換器６４において冷媒と熱媒体とを熱交換させる状態とする。図３３はこの除湿暖房／バッテリ冷却モードにおける冷媒回路Ｒの冷媒の流れ（実線矢印）とバッテリ温度調整装置６１の熱媒体の流れ（破線矢印）を示し、図３４は除湿暖房／バッテリ冷却モードにおける冷媒回路Ｒのｐ−ｈ線図を示している（図３４では冷媒回路Ｒの各構成機器をｐ−ｈ線図上に示している）。
【０１３３】
これにより、放熱器４を出た凝縮冷媒の一部が分流され、この分流された冷媒が電磁弁２２を経て冷媒配管１３Ｆに流入し、冷媒配管１３Ｆから出てその内の一部が冷媒配管１３Ｂから室内膨張弁８に流れ、残りの冷媒が室外膨張弁６に流れるようになる。即ち、分流された冷媒の内の一部が室内膨張弁８にて減圧された後、吸熱器９に流入して蒸発する。このときに吸熱器９で生じる冷媒の吸熱作用で室内送風機２７から吹き出された空気中の水分が吸熱器９に凝結して付着するので、空気は冷却され、且つ、除湿される。吸熱器９にて除湿された空気は放熱器４を通過する過程で再加熱されるので、これにより車室内の除湿暖房が行われることになる。また、放熱器４から出た凝縮冷媒の残りは、室外膨張弁６で減圧された後、室外熱交換器７で蒸発し、外気から吸熱する。
【０１３４】
一方、冷媒配管１３Ｆを出た冷媒の残りは分岐配管７２に流入し、補助膨張弁７３で減圧された後、冷媒−熱媒体熱交換器６４の冷媒流路６４Ｂで蒸発する。冷媒はここでバッテリ温度調整装置６１内を循環する熱媒体から吸熱するのでバッテリ５５は前述同様に冷却される。尚、吸熱器９から出た冷媒は冷媒配管１３Ｃ、アキュムレータ１２を経て圧縮機２に吸い込まれ、室外熱交換器７から出た冷媒は冷媒配管１３Ｄ、電磁弁２１、冷媒配管１３Ｃ及びアキュムレータ１２を経て圧縮機２に吸い込まれ、冷媒−熱媒体熱交換器６４を出た冷媒も冷媒配管７４からアキュムレータ１２を経て圧縮機２に吸い込まれることになる。
【０１３５】
（８−９）バッテリ冷却単独モード
次に、例えば車両を停車し、バッテリ５５を充電しているとき等に、バッテリ温度Ｔｂが自己発熱等で上昇し、目標バッテリ温度ＴＢＯより高くなった場合（ＴＢＯ＜Ｔｂ）、実施例ではコントローラ３２はバッテリ冷却単独モードを実行する（図３５、図３６）。このバッテリ冷却単独モードでは車室内に搭乗者はいないので、車室内を空調する必要はないが、コントローラ３２は圧縮機２を運転し、室外送風機１５も運転する。また、電磁弁２０を開き、補助膨張弁７３も開いて冷媒を減圧する。
【０１３６】
更に、コントローラ３２は電磁弁１７、電磁弁２１、電磁弁２２を閉じ、室内送風機２６も停止する。そして、コントローラ３２は循環ポンプ６２を運転し、冷媒−熱媒体熱交換器６４において冷媒と熱媒体を熱交換させる状態とする。図３５はこのバッテリ冷却単独モードにおける冷媒回路Ｒの冷媒の流れ（実線矢印）とバッテリ温度調整装置６１の熱媒体の流れ（破線矢印）を示し、図３６はバッテリ冷却単独モードにおける冷媒回路Ｒのｐ−ｈ線図を示している（図３６では冷媒回路Ｒの各構成機器をｐ−ｈ線図上に示している）。
【０１３７】
これにより、圧縮機２から吐出された高温高圧のガス冷媒は放熱器４を経て冷媒配管１３Ｅから室外膨張弁６に至る。このとき電磁弁２０は開放されているので冷媒は電磁弁２０を経て冷媒配管１３Ｊを通過し、そのまま室外熱交換器７に流入し、室外送風機１５にて通風される外気により空冷され、凝縮液化する。室外熱交換器７に着霜が成長していた場合は、このときの放熱作用で室外熱交換器７は除霜されることになる。
【０１３８】
室外熱交換器７を出た冷媒は冷媒配管１３Ａに入るが、このとき電磁弁１７は閉じているので、室外熱交換器７を出た全ての冷媒は分岐配管７２を経て補助膨張弁７３に至る。冷媒はこの補助膨張弁７３で減圧された後、冷媒−熱媒体熱交換器６４の冷媒流路６４Ｂに流入して蒸発する。このときに吸熱作用を発揮する。この冷媒流路６４Ｂで蒸発した冷媒は冷媒配管７４、冷媒配管１３Ｃ、及び、アキュムレータ１２を順次経て圧縮機２に吸い込まれる循環を繰り返す（図３５に実線矢印で示す）。
【０１３９】
一方、循環ポンプ６２から吐出された熱媒体は熱媒体加熱ヒータ６６を経て熱媒体配管６８内を冷媒−熱媒体熱交換器６４の熱媒体流路６４Ａに至り、そこで冷媒流路６４Ｂ内で蒸発する冷媒により吸熱され、熱媒体は冷却される。冷媒の吸熱作用で冷却された熱媒体は冷媒−熱媒体熱交換器６４を出てバッテリ５５に至り、当該バッテリ５５を冷却した後、循環ポンプ６２に吸い込まれる循環を繰り返す。コントローラ３２は、例えばバッテリ温度センサ７６が検出するバッテリ温度Ｔｂと目標バッテリ温度ＴＢＯに基づいて圧縮機２及び循環ポンプ６２の運転を制御するものである。
【０１４０】
尚、バッテリ５５は低温環境下で前述した適温範囲よりバッテリ温度Ｔｂが低くなると充放電性能が低下するが、実施例ではバッテリ温度調整装置６１に熱媒体加熱ヒータ６６が設けられているので、バッテリ温度Ｔｂが上記適温範囲より低下した場合、コントローラ３２により熱媒体加熱ヒータ６６を発熱させ、バッテリ５５に循環される熱媒体を加熱する。これにより、バッテリ温度Ｔｂを上昇させて適温範囲に維持する。但し、その場合コントローラ３２は、補助膨張弁７３を全閉として冷媒−熱媒体熱交換器６４に冷媒を循環させないようにするものである。
【０１４１】
また、上記各実施例で説明した冷媒回路Ｒやバッテリ温度調整装置６１の構成はそれに限定されるものでは無く、本発明の趣旨を逸脱しない範囲で変更可能であることは云うまでもない。
【符号の説明】
【０１４２】
１  車両用空気調和装置
２  圧縮機
３  空気流通路
４  放熱器
６  室外膨張弁
７  室外熱交換器
８  室内膨張弁（弁装置）
９  吸熱器
１３Ｄ  冷媒配管（第１のバイパス回路）
１３Ｆ  冷媒配管（第２のバイパス回路）
１５  室外送風機
１７  電磁弁（開閉弁、弁装置）
１８  逆止弁
２０  電磁弁（開閉弁）
２１  電磁弁（第１の開閉弁
２２  電磁弁（第２の開閉弁）
２３  シャッタ
２７  室内送風機
２８  エアミックスダンパ
３２  コントローラ（制御装置）
５５  バッテリ
６１  バッテリ温度調整装置
６２  循環ポンプ
６４  冷媒−熱媒体熱交換器
６６  熱媒体加熱ヒータ（加熱装置）
７２  分岐配管（分岐回路）
７３  補助膨張弁
Ｒ  冷媒回路
【図１】
2018184108.tif 000003
【図２】
2018184108.tif 000004
【図３】
2018184108.tif 000005
【図４】
2018184108.tif 000006
【図５】
2018184108.tif 000007
【図６】
2018184108.tif 000008
【図７】
2018184108.tif 000009
【図８】
2018184108.tif 000010
【図９】
2018184108.tif 000011
【図１０】
2018184108.tif 000012
【図１１】
2018184108.tif 000013
【図１２】
2018184108.tif 000014
【図１３】
2018184108.tif 000015
【図１４】
2018184108.tif 000016
【図１５】
2018184108.tif 000017
【図１６】
2018184108.tif 000018
【図１７】
2018184108.tif 000019
【図１８】
2018184108.tif 000020
【図１９】
2018184108.tif 000021
【図２０】
2018184108.tif 000022
【図２１】
2018184108.tif 000023
【図２２】
2018184108.tif 000024
【図２３】
2018184108.tif 000025
【図２４】
2018184108.tif 000026
【図２５】
2018184108.tif 000027
【図２６】
2018184108.tif 000028
【図２７】
2018184108.tif 000029
【図２８】
2018184108.tif 000030
【図２９】
2018184108.tif 000031
【図３０】
2018184108.tif 000032
【図３１】
2018184108.tif 000033
【図３２】
2018184108.tif 000034
【図３３】
2018184108.tif 000035
【図３４】
2018184108.tif 000036
【図３５】
2018184108.tif 000037
【図３６】
2018184108.tif 000038